(57)【要約】  本発明はアップリンクスケジューリングに用いる方法及びデバイスを提供し、該方法は、端末デバイスはネットワークデバイスが送信したダウンリンク参照信号により、第１情報を生成すること、該端末デバイスが該ネットワークデバイスへ該第１情報を送信し、該ネットワークデバイスが該第１情報によって該端末デバイスがアップリンク伝送を行う時採用する必要がある波形を確定するようにすることを含む。これによって端末デバイスのエネルギー消費を低減させることができる。
2019536330.tif 000002
【特許請求の範囲】
【請求項１】
アップリンクスケジューリングに用いる方法であって、
端末デバイスはネットワークデバイスが送信したダウンリンク参照信号により、第１情報を生成すること、及び
前記端末デバイスは前記ネットワークデバイスへ前記第１情報を送信し、これによって前記ネットワークデバイスは前記第１情報によって前記端末デバイスがアップリンク伝送を行う時採用する必要がある波形を確定することを含むことを特徴とするアップリンクスケジューリングに用いる方法。
【請求項２】
前記端末デバイスはネットワークデバイスが送信したダウンリンク参照信号により、第１情報を生成することは、
前記端末デバイスが前記ダウンリンク参照信号とプリセット変化閾値によって、前記第１情報を生成することを含むことを特徴とする請求項１に記載の方法。
【請求項３】
前記プリセット変化閾値は第１プリセットパワー変化閾値、第１プリセット受信品質変化閾値及び第１プリセット経路消耗変化閾値の中の少なくとも１つを含むことを特徴とする請求項２に記載の方法。
【請求項４】
前記端末デバイスが前記ダウンリンク参照信号とプリセット変化閾値によって、前記第１情報を生成することは、
前記端末デバイスは、前記ダウンリンク参照信号の受信パワーの第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定した時、前記第１情報を生成することを含むことを特徴とする請求項３に記載の方法。
【請求項５】
前記第１情報は前記端末デバイスが前記第１プリセット期間内でセルの中心位置から前記セルのエッジ位置へ移動するを指示することに用いられることを特徴とする請求項４に記載の方法。
【請求項６】
前記プリセット変化閾値は第２プリセットパワー変化閾値、第２プリセット受信品質変化閾値及び第２プリセット経路消耗変化閾値の中の少なくとも１つを含むことを特徴とする請求項２に記載の方法。
【請求項７】
前記端末デバイスが前記ダウンリンク参照信号とプリセット変化閾値によって、前記第１情報を生成することは、
前記端末デバイスは、前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質変化閾値以上であり、及び／又は前記ダウンリンク参照信号の経路消耗の前記第２プリセット期間内での減少値が前記第２プリセット経路消耗変化閾値以上であると確定した時、前記第１情報を生成することを含むことを特徴とする請求項６に記載の方法。
【請求項８】
前記第１情報は前記端末デバイスが前記第２プリセット期間内でセルのエッジ位置から前記セルの中心位置へ移動することを指示することに用いられることを特徴とする請求項７に記載の方法。
【請求項９】
前記端末デバイスが前記ネットワークデバイスへ前記第１情報を送信することは、
前記端末デバイスはアップリンク制御チャネルによって前記ネットワークデバイスへ前記第１情報を送信することを含むことを特徴とする請求項１〜８の中のいずれか一項に記載の方法。
【請求項１０】
前記端末デバイスがアップリンク制御チャネルによって前記ネットワークデバイスへ前記第１情報を送信することは、
前記端末デバイスは予め設定されたアップリンク制御チャネルリソースの対応するアップリンク制御チャネルによって、前記ネットワークデバイスへ前記第１情報を送信することを含むことを特徴とする請求項９に記載の方法。
【請求項１１】
前記端末デバイスが前記ネットワークデバイスへ前記第１情報を送信した後、前記方法は、
前記端末デバイスは前記ネットワークデバイスが送信した第２情報を受信し、前記第２情報は前記端末デバイスが前記ネットワークデバイスへアップリンク参照信号を送信するを指示することに用いられること、及び
前記端末デバイスは前記第２情報によって、前記ネットワークデバイスへアップリンク参照信号を送信することを更に含むことを特徴とする請求項１〜１０の中のいずれか一項に記載の方法。
【請求項１２】
アップリンクスケジューリングに用いる方法であって、
ネットワークデバイスは端末デバイスが送信した第１情報を受信し、前記第１情報は前記端末デバイスが前記ネットワークデバイスの送信したダウンリンク参照信号によって生成されたものであること、及び
前記ネットワークデバイスは前記第１情報によって、前記端末デバイスがアップリンク伝送を行う時採用する必要がある波形を確定すること、を含むことを特徴とするアップリンクスケジューリングに用いる方法。
【請求項１３】
前記第１情報は前記端末デバイスが前記ダウンリンク参照信号とプリセット変化閾値によって生成されたものであることを特徴とする請求項１２に記載の方法。
【請求項１４】
前記プリセット変化閾値は第１プリセットパワー変化閾値、第１プリセット受信品質変化閾値及び第１プリセット経路消耗変化閾値の中の少なくとも１つを含むことを特徴とする請求項１３に記載の方法。
【請求項１５】
前記第１情報は、前記端末デバイスが前記ダウンリンク参照信号の受信パワーの前記第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定した時生成されたものであることを特徴とする請求項１４に記載の方法。
【請求項１６】
前記第１情報は前記端末デバイスが前記第１プリセット期間内でセルの中心位置から前記セルのエッジ位置へ移動することを指示することに用いられることを特徴とする請求項１５に記載の方法。
【請求項１７】
前記プリセット変化閾値は第２プリセットパワー変化閾値、第２プリセット受信品質変化閾値及び第２プリセット経路消耗変化閾値の中の少なくとも１つを含むことを特徴とする請求項１３に記載の方法。
【請求項１８】
前記第１情報は、前記端末デバイスが前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質変化閾値以上であり、及び／又は前記ダウンリンク参照信号の経路消耗の前記第２プリセット期間内での減少値が前記第２プリセット経路消耗変化閾値以上であると確定した時生成されたものであることを特徴とする請求項１７に記載の方法。
【請求項１９】
前記第１情報は前記端末デバイスが前記第２プリセット期間内でセルのエッジ位置から前記セルの中心位置へ移動することを指示することに用いられることを特徴とする請求項１８に記載の方法。
【請求項２０】
前記ネットワークデバイスは端末デバイスが送信した第１情報を受信することは、
前記ネットワークデバイスは端末デバイスがアップリンク制御チャネルによって送信した前記第１情報を受信することを含むことを特徴とする請求項１２〜１９の中のいずれか一項に記載の方法。
【請求項２１】
前記ネットワークデバイスは端末デバイスがアップリンク制御チャネルによって送信した第１情報を受信することは、
前記ネットワークデバイスは端末デバイスが予め設定されたアップリンク制御チャネルリソースの対応するアップリンク制御チャネルによって送信した前記第１情報を受信することを含むことを特徴とする請求項２０に記載の方法。
【請求項２２】
前記ネットワークデバイスは前記第１情報によって、前記端末デバイスがアップリンク伝送を行う時採用する必要がある波形を確定することは、
前記ネットワークデバイスは前記第１情報によって、前記端末デバイスへ第２情報を送信し、前記第２情報は前記端末デバイスが前記ネットワークデバイスへアップリンク参照信号を送信することを指示することに用いられること、
前記ネットワークデバイスは前記端末デバイスが送信した前記アップリンク参照信号を受信すること、及び
前記ネットワークデバイスは前記アップリンク参照信号によって、前記端末デバイスがアップリンク伝送を行う時採用する必要がある波形を確定することを含むことを特徴とする請求項１２〜２１の中のいずれか一項に記載の方法。
【請求項２３】
アップリンクスケジューリングに用いる方法であって、
端末デバイスはネットワークデバイスが送信したダウンリンク参照信号を受信すること、及び
前記端末デバイスが前記ダウンリンク参照信号とプリセット変化閾値によって、前記ネットワークデバイスへアップリンク参照信号を送信することを含むことを特徴とするアップリンクスケジューリングに用いる方法。
【請求項２４】
前記プリセット変化閾値は第１プリセットパワー変化閾値、第１プリセット受信品質変化閾値及び第１プリセット経路消耗変化閾値の中の少なくとも１つを含むことを特徴とする請求項２３に記載の方法。
【請求項２５】
前記端末デバイスはダウンリンク参照信号とプリセット変化閾値によって、ネットワークデバイスへアップリンク参照信号を送信することは、
前記端末デバイスは、前記ダウンリンク参照信号の受信パワーの第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定した時、前記ネットワークデバイスへ前記アップリンク参照信号を送信することを含むことを特徴とする請求項２４に記載の方法。
【請求項２６】
前記ネットワークデバイスへアップリンク参照信号を送信する前に、前記方法は、
前記端末デバイスは前記ネットワークデバイスへ第１情報を送信し、前記第１情報は、前記ネットワークデバイスが前記第１情報によって前記アップリンク参照信号を受信する時間を確定することに用いられることをを更に含むことを特徴とする請求項２４又は２５に記載の方法。
【請求項２７】
前記プリセット変化閾値は第２プリセットパワー変化閾値、第２プリセット受信品質変化閾値及び第２プリセット経路消耗変化閾値の中の少なくとも１つを含むことを特徴とする請求項２３に記載の方法。
【請求項２８】
前記端末デバイスはダウンリンク参照信号とプリセット変化閾値によって、ネットワークデバイスへアップリンク参照信号を送信することは、
前記端末デバイスは前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質変化閾値以上であり、及び／又は前記ダウンリンク参照信号の経路消耗の前記第２プリセット期間内での減少値が前記第２プリセット経路消耗変化閾値以上であると確定した時、前記ネットワークデバイスへ前記アップリンク参照信号を送信することを含むことを特徴とする請求項２７に記載の方法。
【請求項２９】
前記ネットワークデバイスへアップリンク参照信号を送信する前に、前記方法は、
前記端末デバイスは前記ネットワークデバイスへ第２情報を送信し、前記第２情報は前記ネットワークデバイスが前記第２情報によって前記アップリンク参照信号を受信する時間を確定することに用いられることを更に含むことを特徴とする請求項２７又は２８に記載の方法。
【請求項３０】
前記ネットワークデバイスへアップリンク参照信号を送信することは、
予め設定された参照信号リソースによって前記ネットワークデバイスへ前記アップリンク参照信号を送信することを含むことを特徴とする請求項２３〜２９の中のいずれか一項に記載の方法。
【請求項３１】
ネットワークデバイスは端末デバイスへダウンリンク参照信号を送信すること、
ネットワークデバイスは端末デバイスが前記ダウンリンク参照信号とプリセット変化閾値によって送信したアップリンク参照信号を受信すること、及び
前記ネットワークデバイスは前記アップリンク参照信号によって、前記端末デバイスがアップリンク伝送を行う時採用する必要がある波形を確定することを含むことを特徴とするアップリンクスケジューリングに用いる方法。
【請求項３２】
前記プリセット変化閾値は第１プリセットパワー変化閾値、第１プリセット受信品質変化閾値及び第１プリセット経路消耗変化閾値の中の少なくとも１つを含むことを特徴とする請求項３１に記載の方法。
【請求項３３】
前記ネットワークデバイスは端末デバイスが前記ダウンリンク参照信号とプリセット変化閾値によって送信したアップリンク参照信号を受信することは、
前記ネットワークデバイスは、前記端末デバイスが前記ダウンリンク参照信号の受信パワーの第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定した時送信した前記アップリンク参照信号を受信することを含むことを特徴とする請求項３２に記載の方法。
【請求項３４】
前記ネットワークデバイスは端末デバイスが前記ダウンリンク参照信号とプリセット変化閾値によって送信したアップリンク参照信号を受信する前に、前記方法は、
前記ネットワークデバイスは前記端末デバイスが送信した第１情報を受信し、前記第１情報は、前記ネットワークデバイスが前記第１情報によって前記アップリンク参照信号を受信する時間を確定することに用いられることを更に含むことを特徴とする請求項３２又は３３に記載の方法。
【請求項３５】
前記プリセット変化閾値は第２プリセットパワー変化閾値、第２プリセット受信品質変化閾値及び第２プリセット経路消耗変化閾値を含むことを特徴とする請求項３１に記載の方法。
【請求項３６】
前記ネットワークデバイスは端末デバイスが前記ダウンリンク参照信号とプリセット変化閾値によって送信したアップリンク参照信号を受信することは、
前記ネットワークデバイスは、前記端末デバイスが前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質変化閾値以上であり、及び／又は前記ダウンリンク参照信号の経路消耗の前記第２プリセット期間内での減少値が前記第２プリセット経路消耗変化閾値以上であると確定した時送信した前記アップリンク参照信号を受信することを含むことを特徴とする請求項３５に記載の方法。
【請求項３７】
前記ネットワークデバイスは端末デバイスが前記ダウンリンク参照信号とプリセット変化閾値によって送信したアップリンク参照信号を受信する前に、前記方法は、
前記ネットワークデバイスは前記端末デバイスが送信した第２情報を受信し、前記第２情報は前記ネットワークデバイスが前記第２情報によって前記アップリンク参照信号を受信する時間を確定することに用いられることを更に含むことを特徴とする請求項３５又は３６に記載の方法。
【請求項３８】
前記ネットワークデバイスは端末デバイスが前記ダウンリンク参照信号とプリセット変化閾値によって送信したアップリンク参照信号を受信することは、
前記ネットワークデバイスは前記端末デバイスが前記ダウンリンク参照信号とプリセット変化閾値によって、予め設定された参照信号リソースによって送信した前記アップリンク参照信号を受信することを含むことを特徴とする請求項３１〜３７の中のいずれか一項に記載の方法。
【請求項３９】
端末デバイスであって、
ネットワークデバイスが送信したダウンリンク参照信号により、第１情報を生成するための処理モジュールと、
前記ネットワークデバイスへ前記第１情報を送信し、これによって前記ネットワークデバイスは前記第１情報によって前記端末デバイスがアップリンク伝送を行う時採用する必要がある波形を確定するための送受信モジュールと、を備えることを特徴とする端末デバイス。
【請求項４０】
前記処理モジュールは具体的には、
前記ダウンリンク参照信号とプリセット変化閾値によって、前記第１情報を生成することに用いられることを特徴とする請求項３９に記載の端末デバイス。
【請求項４１】
前記プリセット変化閾値は第１プリセットパワー変化閾値、第１プリセット受信品質変化閾値及び第１プリセット経路消耗変化閾値の中の少なくとも１つを含むことを特徴とする請求項４０に記載の端末デバイス。
【請求項４２】
前記処理モジュールは具体的には、
前記ダウンリンク参照信号の受信パワーの第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定した時、前記第１情報を生成することに用いられることを特徴とする請求項４１に記載の端末デバイス。
【請求項４３】
前記第１情報は前記端末デバイスが前記第１プリセット期間内でセルの中心位置から前記セルのエッジ位置へ移動することを指示することに用いられることを特徴とする請求項４２に記載の端末デバイス。
【請求項４４】
前記プリセット参照信号変化閾値は第２プリセットパワー変化閾値、第２プリセット受信品質変化閾値及び第２プリセット経路消耗変化閾値の中の少なくとも１つを含むことを特徴とする請求項４２に記載の端末デバイス。
【請求項４５】
前記処理モジュールは具体的には、
前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質変化閾値以上であり、及び／又は前記ダウンリンク参照信号の経路消耗の前記第２プリセット期間内での減少値が前記第２プリセット経路消耗変化閾値以上であると確定した時前記第１情報を生成することに用いられることを特徴とする請求項４４に記載の端末デバイス。
【請求項４６】
前記第１情報は前記端末デバイスが前記第２プリセット期間内でセルのエッジ位置から前記セルの中心位置へ移動することを指示することに用いられることを特徴とする請求項４５に記載の端末デバイス。
【請求項４７】
前記送受信モジュールは具体的には、
アップリンク制御チャネルによって前記ネットワークデバイスへ前記第１情報を送信することに用いられることを特徴とする請求項３９〜４６の中のいずれか一項に記載の端末デバイス。
【請求項４８】
前記送受信モジュールは具体的には、
予め設定されたアップリンク制御チャネルリソースの対応するアップリンク制御チャネルによって、前記ネットワークデバイスへ前記第１情報を送信することに用いられることを特徴とする請求項４７に記載の端末デバイス。
【請求項４９】
前記送受信モジュールは前記ネットワークデバイスへ前記第１情報を送信した後、前記送受信モジュールは更に、
前記ネットワークデバイスが送信した第２情報を受信し、前記第２情報は前記端末デバイスが前記ネットワークデバイスへアップリンク参照信号を送信することを指示することに用いられること、及び
前記第２情報によって、前記ネットワークデバイスへアップリンク参照信号を送信することに用いられることを特徴とする請求項３９〜４８の中のいずれか一項に記載の端末デバイス。
【請求項５０】
ネットワークデバイスであって、
端末デバイスが送信した第１情報を受信することに用いられ、前記第１情報は前記端末デバイスが前記ネットワークデバイスが送信したダウンリンク参照信号によって生成されたものである送受信モジュールと、
前記第１情報によって、前記端末デバイスがアップリンク伝送を行う時採用する必要がある波形を確定するための処理モジュールと、を備えることを特徴とするネットワークデバイス。
【請求項５１】
前記第１情報は前記端末デバイスが前記ダウンリンク参照信号とプリセット変化閾値によって生成されたものであることを特徴とする請求項５０に記載のネットワークデバイス。
【請求項５２】
前記プリセット変化閾値は第１プリセットパワー変化閾値、第１プリセット受信品質変化閾値及び第１プリセット経路消耗変化閾値の中の少なくとも１つを含むことを特徴とする請求項５１に記載のネットワークデバイス。
【請求項５３】
前記第１情報は、前記端末デバイスが、前記ダウンリンク参照信号の受信パワーの前記第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定した時生成されたものであることを特徴とする請求項５２に記載のネットワークデバイス。
【請求項５４】
前記第１情報は前記端末デバイスが前記第１プリセット期間内でセルの中心位置から前記セルのエッジ位置へ移動することを指示することに用いられることを特徴とする請求項５３に記載のネットワークデバイス。
【請求項５５】
前記プリセット変化閾値は第２プリセットパワー変化閾値、第２プリセット受信品質変化閾値及び第２プリセット経路消耗変化閾値の中の少なくとも１つを含むことを特徴とする請求項５１に記載のネットワークデバイス。
【請求項５６】
前記第１情報は、前記端末デバイスが、前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質変化閾値以上であり、及び／又は前記ダウンリンク参照信号の経路消耗の前記第２プリセット期間内での減少値が前記第２プリセット経路消耗変化閾値以上であると確定した時生成されたものであることを特徴とする請求項５５に記載のネットワークデバイス。
【請求項５７】
前記第１情報は前記端末デバイスが前記第２プリセット期間内でセルのエッジ位置から前記セルの中心位置へ移動することを指示することに用いられることを特徴とする請求項５６に記載のネットワークデバイス。
【請求項５８】
前記送受信モジュールは具体的には、
端末デバイスがアップリンク制御チャネルによって送信した前記第１情報を受信することに用いられることを特徴とする請求項５０〜５７の中のいずれか一項に記載のネットワークデバイス。
【請求項５９】
前記送受信モジュールは具体的には、
端末デバイスが予め設定されたアップリンク制御チャネルリソースの対応するアップリンク制御チャネルによって送信した前記の第１情報を受信することに用いられることを特徴とする請求項５８に記載のネットワークデバイス。
【請求項６０】
前記送受信モジュールは更に、
前記第１情報によって、前記端末デバイスへ第２情報を送信し、前記第２情報は前記端末デバイスが前記ネットワークデバイスへアップリンク参照信号を送信することを指示することに用いられ、
前記端末デバイスが送信した前記アップリンク参照信号を受信することに用いられ、
前記処理モジュールは具体的には、前記アップリンク参照信号によって、前記端末デバイスがアップリンク伝送を行う時採用する必要がある波形を確定することに用いられることを特徴とする請求項５０〜５９の中のいずれか一項に記載のネットワークデバイス。
【請求項６１】
端末デバイスであって、
ネットワークデバイスが送信したダウンリンク参照信号を受信するための受信モジュールと、
前記ダウンリンク参照信号とプリセット変化閾値によって、前記ネットワークデバイスへアップリンク参照信号を送信するための送信モジュールと、を備えることを特徴とする端末デバイス。
【請求項６２】
前記プリセット変化閾値は第１プリセットパワー変化閾値、第１プリセット受信品質変化閾値及び第１プリセット経路消耗変化閾値の中の少なくとも１つを含むことを特徴とする請求項６１に記載の端末デバイス。
【請求項６３】
前記送信モジュールは具体的には、
前記端末デバイスは、前記ダウンリンク参照信号の受信パワーの第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定した時、前記ネットワークデバイスへ前記アップリンク参照信号を送信することに用いられることを特徴とする請求項６２に記載の端末デバイス。  
【請求項６４】
前記ネットワークデバイスへアップリンク参照信号を送信する前に、前記送信モジュールは更に、
前記ネットワークデバイスへ第１情報を送信することに用いられ、前記第１情報は、前記ネットワークデバイスが前記第１情報によって前記アップリンク参照信号を受信する時間を確定することに用いられることを特徴とする請求項６３に記載の端末デバイス。
【請求項６５】
前記プリセット変化閾値は第２プリセットパワー変化閾値、第２プリセット受信品質変化閾値及び第２プリセット経路消耗変化閾値の中の少なくとも１つを含むことを特徴とする請求項６２に記載の端末デバイス。
【請求項６６】
前記送信モジュールは具体的には、
前記端末デバイスは、前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質閾値以上であり、及び／又は前記ダウンリンク参照信号の経路消耗の前記第２プリセット期間内での減少値が前記第２プリセット経路消耗変化閾値以上であると確定したる時、前記ネットワークデバイスへ前記アップリンク参照信号を送信することに用いられることを特徴とする請求項６５に記載の端末デバイス。
【請求項６７】
前記ネットワークデバイスへアップリンク参照信号を送信する前に、前記送信モジュールは更に、
前記ネットワークデバイスへ第２情報を送信することに用いられ、前記第２情報は前記ネットワークデバイスが前記第２情報によって前記アップリンク参照信号を受信する時間を確定することに用いられることを特徴とする請求項６６に記載の端末デバイス。
【請求項６８】
前記送信モジュールは具体的には、
予め設定された参照信号リソースによって前記ネットワークデバイスへ前記アップリンク参照信号を送信することに用いられることを特徴とする請求項６２〜６７の中のいずれか一項に記載の端末デバイス。
【請求項６９】
ネットワークデバイスであって、
端末デバイスへダウンリンク参照信号を送信することに用いられ、
更に、端末デバイスが前記ダウンリンク参照信号とプリセット変化閾値によって送信したアップリンク参照信号を受信することに用いられる送受信モジュールと、
前記アップリンク参照信号によって、前記端末デバイスがアップリンク伝送を行う時採用する必要がある波形を確定するための処理モジュールと、を備えることを特徴とするネットワークデバイス。
【請求項７０】
前記プリセット変化閾値は第１プリセットパワー変化閾値、第１プリセット受信品質変化閾値及び第１プリセット経路消耗変化閾値の中の少なくとも１つを含むことを特徴とする請求項６９に記載のネットワークデバイス。
【請求項７１】
前記送受信モジュールは具体的には、
前記端末デバイスは、前記ダウンリンク参照信号の受信パワーの第１プリセット期間内での減少値が前記第１プリセットパワー変化閾値以上であり、及び／又は前記ダウンリンク参照信号の受信品質の前記第１プリセット期間内での減少値が前記第１プリセット受信品質変化閾値以上であり、及び／又は前記ダウンリンク参照信号の経路消耗の前記第１プリセット期間内での増加値が前記第１プリセット経路消耗変化閾値以上であると確定したる時送信した前記アップリンク参照信号を受信することに用いられることを特徴とする請求項７０に記載のネットワークデバイス。
【請求項７２】
端末デバイスが前記ダウンリンク参照信号とプリセット変化閾値によって送信したアップリンク参照信号を受信する前に、前記送受信モジュールは更に、
前記端末デバイスが送信した第１情報を受信することに用いられ、前記第１情報は、前記ネットワークデバイスが前記第１情報によって前記アップリンク参照信号を受信する時間を確定することに用いられることを特徴とする請求項７０又は７１に記載のネットワークデバイス。
【請求項７３】
前記プリセット変化閾値は第２プリセットパワー変化閾値、第２プリセット受信品質変化閾値及び第２プリセット経路消耗変化閾値を含むことを特徴とする請求項６９に記載のネットワークデバイス。
【請求項７４】
前記送受信モジュールは具体的には、
前記端末デバイスは、前記ダウンリンク参照信号の受信パワーの第２プリセット期間内での増加値が前記第２プリセットパワー変化閾値以上であり、及び／又は前記ダウンリンク参照信号の受信品質の前記第２プリセット期間内での増加値が前記第２プリセット受信品質変化閾値以上であり、及び／又は前記ダウンリンク参照信号の経路消耗の前記第２プリセット期間内での減少値が前記第２プリセット経路消耗変化閾値以上であると確定した時送信した前記アップリンク参照信号を受信することに用いられることを特徴とする請求項７３に記載のネットワークデバイス。
【請求項７５】
端末デバイスが前記ダウンリンク参照信号とプリセット変化閾値によって送信したアップリンク参照信号を受信する前に、前記送受信モジュールは更に、
前記端末デバイスが送信した第２情報を受信することに用いられ、前記第２情報は前記ネットワークデバイスが前記第２情報によって前記アップリンク参照信号を受信する時間を確定することに用いられることを特徴とする請求項７３又は７４に記載のネットワークデバイス。
【請求項７６】
前記送受信モジュールは具体的には、
前記端末デバイスが前記ダウンリンク参照信号とプリセット変化閾値によって、予め設定された参照信号リソースによって送信した前記アップリンク参照信号を受信することに用いられることを特徴とする請求項６９〜７５の中のいずれか一項に記載のネットワークデバイス。  
【発明の詳細な説明】
【技術分野】
【０００１】
本発明の実施例は通信分野に関し、より具体的に、アップリンクスケジューリングに用いる方法及びデバイスに関する。
【背景技術】
【０００２】
将来の通信システムにおいて、アップリンク伝送は直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称）と離散フーリエ変換拡張の直交周波数分割多重（ＤＦＴ−Ｓ−ＯＦＤＭ）という２種の波形（Ｗａｖｅｆｏｒｍ）を採用する。これは基地局がアップリンクスケジューリングする時端末デバイスが採用する必要がある波形を決めることを必要とする。
【０００３】
一般的に基地局は端末デバイスが送信したアップリンク参照信号を測定することによって端末デバイスが採用する必要がある波形を決める。しかし、端末デバイスは無線リソース制御接続モード（Ｒａｄｉｏ  Ｒｅｓｏｕｒｃｅ  Ｃｏｎｔｒｏｌ  Ｃｏｎｎｅｃｔｅｄ  Ｍｏｄｅ）で、アップリンク参照信号を長時間的に持続的に送信することは端末デバイスの大量の電力を消耗する必要があり、しかし、端末デバイスはアップリンク参照信号を送信しないと、基地局は端末デバイスのアップリンク参照信号の変化をリアルタイムにトラッキングできず、アップリンクのエラースケジューリングを引き起こす。
【０００４】
このため、アップリンクスケジューリングに用いる方法を提供する必要があり、端末デバイスのエネルギー消耗を低減させ、アップリンクスケジューリングの正確性を向上させることができる。
【発明の概要】
【０００５】
本願は端末デバイスのエネルギー消費を低減させることができるアップリンクスケジューリングに用いる方法及びデバイスを提供する。
【０００６】
第１様態において、アップリンクスケジューリングに用いる方法を提供し、端末デバイスはネットワークデバイスが送信したダウンリンク参照信号により、第１情報を生成すること、及び該端末デバイスが該ネットワークデバイスへ該第１情報を送信し、該ネットワークデバイスが該第１情報によって該端末デバイスがアップリンク伝送を行う時採用する必要がある波形を確定するようにすることを含む。
【０００７】
本願のアップリンクスケジューリングに用いる方法によれば、端末デバイスはネットワークデバイスへダウンリンク参照信号によって生成した第１情報を送信し、これによりネットワークデバイスは第１情報によって端末デバイスがアップリンク伝送を行う時採用する必要がある波形を確定することができ、これによって端末デバイスのエネルギー消費を低減させることができる。
【０００８】
第１様態を組み合わせて、第１様態の第１種の可能な実現方式において、該端末デバイスはネットワークデバイスが送信したダウンリンク参照信号により、第１情報を生成することは、該端末デバイスが該ダウンリンク参照信号とプリセット変化閾値によって、該第１情報を生成することを含む。
【０００９】
第１様態の第１種の可能な実現方式を組み合わせて、第１様態の第２種の可能な実現方式において、該プリセット変化閾値は第１プリセットパワー変化閾値、第１プリセット受信品質変化閾値及び第１プリセット経路消耗変化閾値の中の少なくとも１つを含む。
【００１０】
第１様態の第２種の可能な実現方式を組み合わせて、第１様態の第３種の可能な実現方式において、該端末デバイスが該ダウンリンク参照信号とプリセット変化閾値によって、該第１情報を生成することは、該端末デバイスは、該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、該第１情報を生成することを含む。
【００１１】
第１様態の第３種の可能な実現方式を組み合わせて、第１様態の第４種の可能な実現方式において、該第１情報は該端末デバイスが該第１プリセット期間内でセルの中心位置から該セルのエッジ位置へ移動するように指示することに用いられる。
【００１２】
第１様態の第１種の可能な実現方式を組み合わせて、第１様態の第５種の可能な実現方式において、該プリセット変化閾値は第２プリセットパワー変化閾値、第２プリセット受信品質変化閾値及び第２プリセット経路消耗変化閾値の中の少なくとも１つを含む。
【００１３】
第１様態の第５種の可能な実現方式を組み合わせて、第１様態の第６種の可能な実現方式において、該端末デバイスが該ダウンリンク参照信号とプリセット変化閾値によって、該第１情報を生成することは、該端末デバイスは、該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、該第１情報を生成することを含む。
【００１４】
第１様態の第６種の可能な実現方式を組み合わせて、第１様態の第７種の可能な実現方式において、該第１情報は該端末デバイスが該第２プリセット期間内でセルのエッジ位置から該セルの中心位置へ移動するように指示することに用いられる。
【００１５】
第１様態、又は第１様態の第１種〜第７種の可能な実現方式の中のいずれかの可能な実現方式を組み合わせて、第１様態の第８種の可能な実現方式において、該端末デバイスが該ネットワークデバイスへ該第１情報を送信することは、該端末デバイスがアップリンク制御チャネルによって該ネットワークデバイスへ該第１情報を送信することを含む。
【００１６】
第１様態の第８種の可能な実現方式を組み合わせて、第１様態の第９種の可能な実現方式において、該端末デバイスがアップリンク制御チャネルによって該ネットワークデバイスへ該第１情報を送信することは、該端末デバイスが予め設定されたアップリンク制御チャネルリソースの対応するアップリンク制御チャネルによって該ネットワークデバイスへ該第１情報を送信することを含む。
【００１７】
第１様態、又は第１様態の第１種〜第９種の可能な実現方式の中のいずれかの可能な実現方式を組み合わせて、第１様態の第１０種の可能な実現方式において、該端末デバイスが該ネットワークデバイスへ該第１情報を送信した後、該方法は、該端末デバイスは該ネットワークデバイスが送信した第２情報を受信し、該第２情報は該端末デバイスが該ネットワークデバイスへアップリンク参照信号を送信するように指示することに用いられること、及び該端末デバイスが該第２情報によって、該ネットワークデバイスへアップリンク参照信号を送信することを更に含む。
【００１８】
第２様態において、アップリンクスケジューリングに用いる方法を提供し、ネットワークデバイスは端末デバイスが送信した第１情報を受信し、該第１情報は該端末デバイスが該ネットワークデバイスが送信したダウンリンク参照信号によって生成されたものであること、及び該ネットワークデバイスが該第１情報によって、該端末デバイスがアップリンク伝送を行う時採用する必要がある波形を確定することを含む。
【００１９】
本願のアップリンクスケジューリングに用いる方法によれば、ネットワークデバイスは端末デバイスがダウンリンク参照信号によって生成した第１情報を受信し、且つ第１情報によって端末デバイスがアップリンク伝送を行う時採用する必要がある波形を確定し、これによって端末デバイスのエネルギー消費を低減させることができる。
【００２０】
第２様態を組み合わせて、第２様態の第１種の可能な実現方式において、該第１情報は該端末デバイスが該ダウンリンク参照信号とプリセット変化閾値によって生成されたものである。
【００２１】
第２様態の第１種の可能な実現方式を組み合わせて、第２様態の第２種の可能な実現方式において、該プリセット変化閾値は第１プリセットパワー変化閾値、第１プリセット受信品質変化閾値及び第１プリセット経路消耗変換閾値の中の少なくとも１つを含む。
【００２２】
第２様態の第２種の可能な実現方式を組み合わせて、第２様態の第３種の可能な実現方式において、該第１情報は、該端末デバイスが該ダウンリンク参照信号の受信パワーの該第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時生成されたものである。
【００２３】
第２様態の第３種の可能な実現方式を組み合わせて、第２様態の第４種の可能な実現方式において、該第１情報は該端末デバイスが該第１プリセット期間内でセルの中心位置から該セルのエッジ位置へ移動するように指示することに用いられる。
【００２４】
第２様態の第１種の可能な実現方式を組み合わせて、第２様態の第５種の可能な実現方式において、該プリセット変化閾値は第２プリセットパワー変化閾値、第２プリセット受信品質変化閾値及び第２プリセット経路消耗変化閾値の中の少なくとも１つを含む。
【００２５】
第２様態の第５種の可能な実現方式を組み合わせて、第２様態の第６種の可能な実現方式において、該第１情報は、該端末デバイスが該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時生成されたものである。
【００２６】
第２様態の第６種の可能な実現方式を組み合わせて、第２様態の第７種の可能な実現方式において、該第１情報は該端末デバイスが該第２プリセット期間内でセルのエッジ位置から該セルの中心位置へ移動するように指示することに用いられる。
【００２７】
第２様態、又は第２様態の第１種〜第７種の可能な実現方式の中のいずれかの可能な実現方式を組み合わせて、第２様態の第８種の可能な実現方式において、該ネットワークデバイスは端末デバイスが送信した第１情報を受信することは、該ネットワークデバイスは端末デバイスがアップリンク制御チャネルによって送信した該第１情報を受信することを含む。
【００２８】
第２様態の第８種の可能な実現方式を組み合わせて、第２様態の第９種の可能な実現方式において、該ネットワークデバイスは端末デバイスがアップリンク制御チャネルによって送信した第１情報を受信することは、該ネットワークデバイスは端末デバイスが予め設定されたアップリンク制御チャネルリソースの対応するアップリンク制御チャネルによって送信した該第１情報を受信することを含む。
【００２９】
第２様態、又は第２様態の第１種〜第９種の可能な実現方式の中のいずれかの可能な実現方式を組み合わせて、第２様態の第１０種の可能な実現方式において、該ネットワークデバイスが該第１情報によって、該端末デバイスがアップリンク伝送を行う時採用する必要がある波形を確定することは、該ネットワークデバイスが該第１情報によって、該端末デバイスへ第２情報を送信し、該第２情報は該端末デバイスが該ネットワークデバイスへアップリンク参照信号を送信するように指示することに用いられること、該ネットワークデバイスは該端末デバイスが送信した該アップリンク参照信号を受信すること、及び該ネットワークデバイスが該アップリンク参照信号によって、該端末デバイスがアップリンク伝送を行う時採用する必要がある波形を確定することを含む。
【００３０】
第３様態において、アップリンクスケジューリングに用いる方法を提供し、端末デバイスはネットワークデバイスが送信したダウンリンク参照信号を受信すること、及び該端末デバイスが該ダウンリンク参照信号とプリセット変化閾値によって、該ネットワークデバイスへアップリンク参照信号を送信することを含む。
【００３１】
本願のアップリンクスケジューリングに用いる方法によれば、端末デバイスは受信されたダウンリンク参照信号とプリセット変化閾値によって、ネットワークデバイスへアップリンク参照信号を送信する。これによって、端末デバイスが持続的にネットワークデバイスへアップリンク参照信号を送信する必要がなく、端末デバイスのエネルギー消費を低減させ、且つこれによりネットワークデバイスは端末デバイスのアップリンク参照信号の変化をタイムリーにトラッキングして、アップリンクスケジューリングの正確性を向上させることができる。
【００３２】
第３様態を組み合わせて、第３様態の第１種の可能な実現方式において、該プリセット変化閾値は第１プリセットパワー変化閾値、第１プリセット受信品質変化閾値及び第１プリセット経路消耗変化閾値の中の少なくとも１つを含む。
【００３３】
第３様態の第１種の可能な実現方式を組み合わせて、第３様態の第２種の可能な実現方式において、該端末デバイスはダウンリンク参照信号とプリセット変化閾値によって、ネットワークデバイスへアップリンク参照信号を送信することは、
該端末デバイスは、該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、該ネットワークデバイスへ該アップリンク参照信号を送信することを含む。
【００３４】
第３様態の第１種又は第２種の可能な実現方式を組み合わせて、第３様態の第３種の可能な実現方式において、該ネットワークデバイスへアップリンク参照信号を送信する前に、該方法は、該端末デバイスが該ネットワークデバイスへ第１情報を送信し、該第１情報は該ネットワークデバイスが該第１情報によって該アップリンク参照信号を受信する時間を確定することに用いられることを更に含む。
【００３５】
第３様態を組み合わせて、第３様態の第４種の可能な実現方式において、該プリセット変化閾値は第２プリセットパワー変化閾値、第２プリセット受信品質変化閾値及び第２プリセット経路消耗変化閾値の中の少なくとも１つを含む。
【００３６】
第３様態の第４種の可能な実現方式を組み合わせて、第４様態の第５種の可能な実現方式において、該端末デバイスはダウンリンク参照信号とプリセット変化閾値によって、ネットワークデバイスへアップリンク参照信号を送信することは、該端末デバイスは、該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、該ネットワークデバイスへ該アップリンク参照信号を送信することを含む。
【００３７】
第３様態の第４種又は第５種の可能な実現方式を組み合わせて、第３様態の第６種の可能な実現方式において、該ネットワークデバイスへアップリンク参照信号を送信する前に、該方法は、該端末デバイスが該ネットワークデバイスへ第２情報を送信し、該第２情報は該ネットワークデバイスが該第２情報によって該アップリンク参照信号を受信する時間を確定することに用いられることを更に含む。
【００３８】
第３様態、又は第３様態の第１種〜第６種の可能な実現方式の中のいずれかの可能な実現方式を組み合わせて、第３様態の第７種の可能な実現方式において、該ネットワークデバイスへアップリンク参照信号を送信することは、予め設定された参照信号リソースによって該ネットワークデバイスへ該アップリンク参照信号を送信することを含む。
【００３９】
第４様態において、アップリンクスケジューリングに用いる方法を提供し、ネットワークデバイスは端末デバイスへダウンリンク参照信号を送信すること、ネットワークデバイスは端末デバイスが該ダウンリンク参照信号とプリセット変化閾値によって送信したアップリンク参照信号を受信すること、及び該ネットワークデバイスは該アップリンク参照信号によって、該端末デバイスがアップリンク伝送を行う時採用する必要がある波形を確定することを含む。
【００４０】
本願のアップリンクスケジューリングに用いる方法によれば、ネットワークデバイスは端末デバイスがダウンリンク参照信号とプリセット変化閾値によって送信したアップリンク参照信号を受信し、且つアップリンク参照信号によって端末デバイスがアップリンク伝送する時採用する必要がある波形を確定する。これによって、端末デバイスが持続的にネットワークデバイスへアップリンク参照信号を送信する必要がなく、端末デバイスのエネルギー消費を低減させ、且つネットワークデバイスは端末デバイスのアップリンク参照信号の変化をタイムリーにトラッキングして、アップリンクスケジューリングの正確性を向上させることができる。
【００４１】
第４様態を組み合わせて、第４様態の第１種の可能な実現方式において、該プリセット変化閾値は第１プリセットパワー変化閾値、第１プリセット受信品質変化閾値及び第１プリセット経路消耗変化閾値の中の少なくとも１つを含む。
【００４２】
第４様態の第１種の可能な実現方式を組み合わせて、第４様態の第２種の可能な実現方式において、該ネットワークデバイスは端末デバイスが該ダウンリンク参照信号とプリセット変化閾値によって送信したアップリンク参照信号を受信することは、該ネットワークデバイスは、該端末デバイスが、該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、送信した該アップリンク参照信号を受信することを含む。
【００４３】
第４様態の第１種又は第２種の可能な実現方式を組み合わせて、第４様態の第３種の可能な実現方式において、該ネットワークデバイスは端末デバイスが該ダウンリンク参照信号とプリセット変化閾値によって送信したアップリンク参照信号を受信する前に、該方法は、該ネットワークデバイスは該端末デバイスが送信した第１情報を受信し、該第１情報は該ネットワークデバイスが該第１情報によって該アップリンク参照信号を受信する時間を確定することに用いられることを更に含む。
【００４４】
第４様態を組み合わせて、第４様態の第４種の可能な実現方式において、該プリセット変化閾値は第２プリセットパワー変化閾値、第２プリセット受信品質変化閾値及び第２プリセット経路消耗変化閾値を含む。
【００４５】
第４様態の第４種の可能な実現方式を組み合わせて、第４様態の第５種の可能な実現方式において、該ネットワークデバイスは端末デバイスが該ダウンリンク参照信号とプリセット変化閾値によって送信したアップリンク参照信号を受信することは、該ネットワークデバイスは、該端末デバイスが該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、送信した該アップリンク参照信号を受信することを含む。
【００４６】
第４様態の第４種又は第５種の可能な実現方式を組み合わせて、第４様態の第６種の可能な実現方式において、該ネットワークデバイスは端末デバイスが該ダウンリンク参照信号とプリセット変化閾値によって送信したアップリンク参照信号を受信する前に、該方法は、該ネットワークデバイスは該端末デバイスが送信した第２情報を受信し、該第２情報は該ネットワークデバイスが該第２情報によって該アップリンク参照信号を受信する時間を確定することに用いられることを更に含む。
【００４７】
第４様態、又は第４様態の第１種〜第６種の可能な実現方式の中のいずれかの可能な実現方式を組み合わせて、第４様態の第７種の可能な実現方式において、該ネットワークデバイスは端末デバイスが該ダウンリンク参照信号とプリセット変化閾値によって送信したアップリンク参照信号を受信することは、該ネットワークデバイスは該端末デバイスが該ダウンリンク参照信号とプリセット変化閾値によって、予め設定された参照信号リソースによって送信した該アップリンク参照信号を受信することを含む。
【００４８】
第５様態において、上記第１様態又は第１様態の任意可能な実現方式の中の方法を実行するための端末デバイスを提供する。具体的には、該端末デバイスは上記第１様態又は第１様態の任意可能な実現方式の中の方法を実行するための機能モジュールを含む。
【００４９】
第６様態において、上記第２様態又は第２様態の任意可能な実現方式の中の方法を実行するためのネットワークデバイスを提供する。具体的には、該ネットワークデバイスは上記第２様態又は第２様態の任意可能な実現方式の中の方法を実行するための機能モジュールを含む。
【００５０】
第７様態において、上記第３様態又は第３様態の任意可能な実現方式の中の方法を実行するための端末デバイスを提供する。具体的には、該端末デバイスは上記第３様態又は第３様態の任意可能な実現方式の中の方法を実行するための機能モジュールを含む。
【００５１】
第８様態において、上記第４様態又は第４様態の任意可能な実現方式の中の方法を実行するためのネットワークデバイスを提供する。具体的には、該ネットワークデバイスは上記第４様態又は第４様態の任意可能な実現方式の中の方法を実行するための機能モジュールを含む。
【００５２】
第９様態において、端末デバイスを提供し、プロセッサー、メモリ及びトランシーバを含み、該プロセッサー、該メモリ及び該トランシーバはバスシステムによって接続され、該メモリは命令を記憶することに用いられ、該プロセッサーは該メモリに記憶される命令をコールして該トランシーバが情報を受信又は送信するように制御することができ、これにより該端末デバイスは上記第１様態又は第１様態の任意可能な実現方式の中の方法を実行する。
【００５３】
第１０様態において、ネットワークデバイスを提供し、プロセッサー、メモリ及びトランシーバを含み、該プロセッサー、該メモリ及び該トランシーバはバスシステムによって接続され、該メモリは命令を記憶することに用いられ、該プロセッサーは該メモリに記憶される命令をコールして該トランシーバが情報を受信又は送信するように制御することができ、これにより該ネットワークデバイスは上記第２様態又は第２様態の任意可能な実現方式の中の方法を実行する。
【００５４】
第１１様態において、端末デバイスを提供し、プロセッサー、メモリ及びトランシーバを含み、該プロセッサー、該メモリ及び該トランシーバはバスシステムによって接続され、該メモリは命令を記憶することに用いられ、該プロセッサーは該メモリに記憶される命令をコールして該トランシーバが情報を受信又は送信するように制御することができ、これにより該端末デバイスは上記第３様態又は第３様態の任意可能な実現方式の中の方法を実行する。
【００５５】
第１２様態において、ネットワークデバイスを提供し、プロセッサー、メモリ及びトランシーバを含み、該プロセッサー、該メモリ及び該トランシーバはバスシステムによって接続され、該メモリは命令を記憶することに用いられ、該プロセッサーは該メモリに記憶される命令をコールして該トランシーバが情報を受信又は送信するように制御することができ、これにより該ネットワークデバイスは上記第４様態又は第４様態の任意可能な実現方式の中の方法を実行する。
【００５６】
第１３様態において、コンピュータプログラムを記憶するためのコンピュータ可読媒体を提供し、該コンピュータプログラムは第１様態又は第１様態の任意可能な実現方式の中の方法を実行するための命令を含む。
【００５７】
第１４様態において、コンピュータプログラムを記憶するためのコンピュータ可読媒体を提供し、該コンピュータプログラムは第２様態又は第２様態の任意可能な実現方式の中の方法を実行するための命令を含む。
【００５８】
第１５様態において、コンピュータプログラムを記憶するためのコンピュータ可読媒体を提供し、該コンピュータプログラムは第３様態又は第３様態の任意可能な実現方式の中の方法を実行するための命令を含む。
【００５９】
第１６様態において、コンピュータプログラムを記憶するためのコンピュータ可読媒体を提供し、該コンピュータプログラムは第４様態又は第４様態の任意可能な実現方式の中の方法を実行するための命令を含む。
【図面の簡単な説明】
【００６０】
【図１】図１は本発明の実施例による通信方法の適用可能な通信システムの模式図である。
【図２】図２は本発明の実施例によるアップリンクスケジューリングに用いる方法の模式的なフロー図である。
【図３】図３は本発明の他の実施例によるアップリンクスケジューリングに用いる方法の模式的なフロー図である。
【図４】図４は本発明の他の実施例によるアップリンクスケジューリングに用いる方法の他の模式的なフロー図である。
【図５】図５は本発明の更に他の実施例によるアップリンクスケジューリングに用いる方法の模式的なフロー図である。
【図６】図６は本発明の更に他の実施例によるアップリンクスケジューリングに用いる方法の模式的なフロー図である。
【図７】図７は本発明の実施例による端末デバイスの模式的なブロック図である。
【図８】図８は本発明の実施例によるネットワークデバイスの模式的なブロック図である。
【図９】図９は本発明の他の実施例による端末デバイスの模式的なブロック図である。
【図１０】図１０は本発明の他の実施例によるネットワークデバイスの模式的なブロック図である。
【図１１】図１１は本発明の更に他の実施例による端末デバイスの模式的なブロック図である。
【図１２】図１２は本発明の更に他の実施例によるネットワークデバイスの模式的なブロック図である。
【発明を実施するための形態】
【００６１】
以下、本発明の実施例における図面を組み合わせて、本発明の実施例における技術的解決手段を明確、完全に説明する。
【００６２】
理解すべきなのは、本発明の実施例の技術的解決手段は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、コード分割多重アクセス（Ｃｏｄｅ  Ｄｉｖｉｓｉｏｎ  Ｍｕｌｔｉｐｌｅ  Ａｃｃｅｓｓ、「ＣＤＭＡ」と略称）システム、ブロードバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、長期的な進化（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）又はマイクロ波利用アクセスに関する世界的な相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム、５Ｇシステム、又は新無線（Ｎｅｗ  Ｒａｄｉｏ、「ＮＲ」と略称）システムに適用されることができる。
【００６３】
本発明の実施例において、名詞「ネットワーク」と「システム」は常に交換的に使用されるが、当業者はその意味を理解することができる。本発明の実施例に係る端末デバイスは各種の無線通信機能を有するハンドヘルドデバイス、車載デバイス、ウェアラブルデバイス、コンピューティングデバイス又は無線モデムに接続される他の処理デバイス、及び各種形式のユーザデバイス（Ｕｓｅｒ  Ｅｑｕｉｐｍｅｎｔ、「ＵＥ」と略称）、移動台（Ｍｏｂｉｌｅ  Ｓｔａｔｉｏｎ、「ＭＳ」と略称）、端末（Ｔｅｒｍｉｎａｌ）等を含んでもよい。説明の便宜上、本発明の実施例において、以上に記載されたデバイスは端末デバイスと総称される。
【００６４】
本発明の実施例において、ネットワークデバイスは、端末デバイスと通信するためのデバイスであってもよく、該ネットワークデバイスは、ＬＴＥシステムにおける進化型基地局（Ｅｖｏｌｕｔｉｏｎａｌ  Ｎｏｄｅ  Ｂ、「ｅＮＢ」又は「ｅＮｏｄｅＢ」と略称）であってもよく、又は該ネットワークデバイスは、中継局、アクセスポイント、車載デバイス、ウェアラブルデバイス及び将来５Ｇネットワークにおけるネットワークデバイス又は将来進化したＰＬＭＮネットワークにおけるネットワークデバイス等であってもよい。
【００６５】
図１は本発明の実施例による応用シーンの模式図である。図１に示すように、基地局と複数の端末デバイス（端末デバイス１〜端末デバイス３）は無線信号によって通信し、一般的に通信に用いる無線信号はある変調方式で送信と受信されたものであり、シングルキャリア変調とマルチキャリア変調という２つの主要なカテゴリに分けられることができる。
【００６６】
なお、図１に示す応用シーンには１つの基地局（孤立基地局）のみの状況を示した。しかし、本発明はこれに限定されない。基地局は同じ又は異なる時間周波数リソースでサービスを伝送する近接基地局と端末デバイスを更に有してもよく、各基地局のカバレッジ範囲内に他の数の端末デバイスを更に含んでもよい。
【００６７】
選択可能に、図１における基地局と端末デバイスの所在する無線通信システムはネットワークコントローラ、移動管理エンティティ等の他のネットワークエンティティを更に含んでもよく、本発明の実施例はこれに限定されない。
【００６８】
なお、本発明の実施例を説明する過程において、ダウンリンク伝送とはネットワークデバイスが端末デバイスへ情報を送信する関連プロセスであり、アップリンク伝送とは端末デバイスがネットワークデバイスへ情報を送信する関連プロセスである。
【００６９】
図２は本発明の実施例によるアップリンクスケジューリングに用いる方法の模式的なフロー図である。図２に示すように、方法１００は、以下のＳ１１０〜Ｓ１２０を含む。
【００７０】
Ｓ１１０、端末デバイスはネットワークデバイスが送信したダウンリンク参照信号により、第１情報を生成する。
【００７１】
Ｓ１２０、端末デバイスはネットワークデバイスへ第１情報を送信し、これによりネットワークデバイスは第１情報によって、端末デバイスがアップリンク伝送を行う時採用する必要がある波形を確定する。
【００７２】
具体的には、端末デバイスはネットワークデバイスが送信したダウンリンク参照信号を受信した後、ダウンリンク参照信号によって第１情報を生成し、且つ第１情報をネットワークデバイスに送信し、これによりネットワークデバイスは第１情報によって端末デバイスがアップリンク伝送を行う時採用する必要がある波形を確定する。
【００７３】
これによって、端末デバイスはネットワークデバイスへアップリンク参照信号を生成することを必要としなくてもよい。ネットワークデバイスは端末デバイスが送信した第１情報のみによって端末デバイスがアップリンク伝送を行う時採用する必要がある波形を確定することができ、端末デバイスのエネルギー消費を減少することができる。
【００７４】
本発明の実施例において、選択可能に、端末デバイスはダウンリンク参照信号とプリセット変化閾値によって、第１情報を生成する。プリセット変化閾値は、プロトコルで実現された所定の値であってもよく、プリセット変化閾値は更に、ネットワークデバイスがシグナリングによって設定された値であってもよい。
【００７５】
選択可能に、１つの例として、プリセット変化閾値は第１プリセットパワー変化閾値、第１プリセット受信品質変化閾値及び第１プリセット経路消耗（Ｐａｔｈ  Ｌｏｓｓ）変化閾値の中の少なくとも１つを含む。
【００７６】
具体的には、端末デバイスは、ダウンリンク参照信号の受信パワーの第１プリセット期間内での減少値が第１プリセットパワー変化閾値以上であり、及び／又はダウンリンク参照信号の受信品質の第１プリセット期間内での減少値が第１プリセット受信品質変化閾値以上であり、及び／又はダウンリンク参照信号の経路消耗の第１プリセット期間内での増加値が第１プリセット経路消耗変化閾値以上であると確定した時、端末デバイスは第１情報を生成する。
【００７７】
対応的に、第１情報には端末デバイスの測定結果を含んでもよく、例えば、第１情報はダウンリンク参照信号の受信パワーの第１プリセット期間内での変化量、又はダウンリンク参照信号の第１プリセット期間の開始時刻での測定値及び第１プリセット期間の終了時刻での測定値を含んでもよい。第１情報はダウンリンク参照信号の受信品質の第１プリセット期間内での変化量、又はダウンリンク参照信号の受信品質の第１プリセット期間での開始時刻での測定値及び第１プリセット期間の終了時刻での測定値を更に含んでもよい。第１情報はダウンリンク参照信号の第１プリセット期間内での経路消耗の変化量、又はダウンリンク参照信号の第１プリセット期間の開始時刻での経路消耗の測定値及びダウンリンク参照信号の第１プリセット期間の終了時刻での経路消耗の測定値を更に含んでもよい。第１情報はダウンリンク参照信号の受信パワーの第１プリセット期間内での変化速度、及び／又はダウンリンク参照信号の受信品質の第１プリセット期間内での変化速度、及び／又はダウンリンク参照信号の経路消耗の第１プリセット期間内での変化速度を更に含んでもよい。ネットワークデバイスは第１情報の中の内容によって端末デバイスがセル内での移動方向を判断することができる。
【００７８】
又は、第１情報は端末デバイスが第１プリセット期間内でセルの中心位置からセルのエッジ位置へ移動することを直接指示する。
【００７９】
更に、ネットワークデバイスは第１情報によって、端末デバイスが第１プリセット期間内でセルの中心位置からセルのエッジ位置へ移動したと確定した後、ネットワークデバイスは端末デバイスがアップリンク伝送する時採用した波形は直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称）波形から離散フーリエ変換拡張の直交周波数分割多重（ＤＦＴ−Ｓ−ＯＦＤＭ）波形に変換する必要があることを確定することができる。
【００８０】
選択可能に、他の例として、プリセット変化閾値は第２プリセットパワー変化閾値、第２プリセット受信品質変化閾値及び第２プリセット経路消耗変化閾値の中の少なくとも１つを含む。
【００８１】
具体的には、端末デバイスは、ダウンリンク参照信号の受信パワーの第２プリセット期間内での増加値が第２プリセットパワー変化閾値以上であり、及び／又はダウンリンク参照信号の受信品質の第２プリセット期間内での増加値が第２プリセット受信品質変化閾値以上であり、及び／又はダウンリンク参照信号の経路消耗の第２プリセット期間内での減少値が第２プリセット経路消耗変化閾値以上であると確定した時、第１情報を生成する。
【００８２】
同様に、第１情報はダウンリンク参照信号の受信パワーの第２プリセット期間内での変化量、又はダウンリンク参照信号の第２プリセット期間の開始時刻での測定値及び第２プリセット期間の終了時刻での測定値を含んでもよい。第１情報はダウンリンク参照信号の受信品質の第２プリセット期間内での変化量、又はダウンリンク参照信号の受信品質の第２プリセット期間の開始時刻での測定値及び第２プリセット期間の終了時刻での測定値を更に含んでもよい。第１情報はダウンリンク参照信号の第２プリセット期間内での経路消耗の変化量、又はダウンリンク参照信号の第２プリセット期間の開始時刻での経路消耗の測定値及びダウンリンク参照信号の第２プリセット期間の終了時刻での経路消耗の測定値を更に含んでもよい。第１情報はダウンリンク参照信号の受信パワーの第２プリセット期間内での変化速度、及び／又はダウンリンク参照信号の受信品質の第２プリセット期間内での変化速度、及び／又はダウンリンク参照信号の経路消耗の第２プリセット期間内での変化速度を更に含んでもよい。ネットワークデバイスは第１情報における内容によって端末デバイスがセル内での移動方向を判断することができる。
【００８３】
又は、第１情報は端末デバイスが第２プリセット期間内でセルのエッジ位置からセルの中心位置へ移動することを直接指示する。
【００８４】
更に、ネットワークデバイスは第１情報によって、端末デバイスが第２プリセット期間内でセルのエッジ位置からセルの中心位置へ移動することを確定した後、ネットワークデバイスは端末デバイスがアップリンク伝送する時採用する波形がＤＦＴ−Ｓ−ＯＦＤＭ波形からＯＦＤＭ波形に変換する必要があることを確定することができる。
【００８５】
本発明の実施例において、ネットワークデバイスは第１プリセットパワー変化閾値が第２プリセットパワー変化閾値に等しいように設定してもよく、第１プリセットパワー変化閾値が第２プリセットパワー変化閾値に等しくないように設定してもよい。ネットワークデバイスは第１プリセット受信品質変化閾値が第２プリセット受信品質変化閾値に等しいように設定してもよく、第１プリセット受信品質変化閾値が第２プリセット受信品質変化閾値に等しくないように設定してもよい。ネットワークデバイスは第１プリセット経路消耗変化閾値が第２プリセット経路消耗変化閾値に等しいように設定してもよく、第１プリセット経路消耗変化閾値が第２プリセット経路消耗変化閾値に等しくないように設定してもよい。
【００８６】
本発明の実施例において、選択可能に、端末デバイスはアップリンク制御チャネルによってネットワークデバイスへ第１情報を送信する。
【００８７】
又は、更に、ネットワークデバイスは専用シグナリングを採用して予め端末デバイスにアップリンク制御チャネルリソースを設定し、端末デバイスは第１情報を生成した後、予め設定されたアップリンク制御チャネルリソースによってネットワークデバイスへ第１情報を送信する。
【００８８】
本発明の実施例において、選択可能に、ネットワークデバイスは端末デバイスが送信した第１情報を受信した後、ネットワークデバイスは端末デバイスがアップリンク参照信号を送信するように設定することができ、アップリンク参照信号を測定することによって、アップリンクチャネルの状態を確定し、更に端末デバイスがアップリンク伝送を行う時採用する必要がある波形を決定する。
【００８９】
又は、端末デバイスの報告から、ネットワークデバイスは既に端末デバイスがセル中心又はエッジ領域に位置することを知っているが、端末デバイスがこの２つのものの間の領域にあると、ネットワークデバイスは依然として端末デバイスが送信したアップリンク参照信号を測定することによって端末デバイスの採用したアップリンク波形を更に決定することを必要があると理解されることができる。
【００９０】
具体的には、端末デバイスはネットワークデバイスへ第１情報を送信した後、端末デバイスはネットワークデバイスが送信した第２情報を受信し、第２情報は端末デバイスがネットワークデバイスへアップリンク参照信号を送信することを指示することに用いられる。端末デバイスは第２情報によって、ネットワークデバイスへアップリンク参照信号を送信する。
【００９１】
上記実施例において、第１プリセット期間及び／又は第２プリセット期間は、ネットワークデバイスの事前設定された周期的な期間であってもよい。ネットワークデバイスは第１プリセット期間及び／又は第２プリセット期間を設定する時、各期間の開始時刻と終了時刻を具体的に指示してもよいし、各期間の開始時刻と時間長さを具体的に指示してもよいし、第１個の期間の開始時刻、時間長さ及び隣接する２つの期間の開始時間間隔を具体的に指示してもよい。
【００９２】
以上、図２を組み合わせて端末デバイス側から本発明の実施例によるアップリンクスケジューリングに用いる方法を詳しく説明しており、以下、図３を組み合わせて、ネットワークデバイス側から本発明の実施例によるアップリンクスケジューリングに用いる方法を詳しく説明する。理解できるのは、端末デバイス側から説明したネットワークデバイスの端末デバイスとのインタラクションはネットワークデバイス側の説明と同じ、繰り返して説明しないように、関連する説明を適当に省略する。
【００９３】
図３は本発明の他の実施例によるアップリンクスケジューリングに用いる方法の模式的なフロー図を示す。図３に示すように、方法２００は以下のステップＳ２１０〜Ｓ２２０を含む。
【００９４】
Ｓ２１０、ネットワークデバイスは端末デバイスが送信した第１情報を受信し、第１情報は端末デバイスがネットワークデバイスの送信したダウンリンク参照信号によって生成されたものである。
【００９５】
Ｓ２２０、ネットワークデバイスは第１情報によって、端末デバイスがアップリンク伝送を行う時採用する必要がある波形を確定する。
【００９６】
このため、本発明の実施例によるアップリンクスケジューリングに用いる方法によれば、ネットワークデバイスは端末デバイスがダウンリンク参照信号によって生成した第１情報を受信し、且つ第１情報によって端末デバイスがアップリンク伝送を行う時採用する必要がある波形を確定し、このため端末デバイスはネットワークデバイスへアップリンク参照信号を送信する必要がなくて、端末デバイスのエネルギー消費を減少することができる。
【００９７】
本発明の実施例において、選択可能に、第１情報は端末デバイスがダウンリンク参照信号とプリセット変化閾値によって生成されたものである。
本発明の実施例において、選択可能に、プリセット変化閾値は第１プリセットパワー変化閾値、第１受信品質変化閾値及び第１プリセット経路消耗変化閾値の中の少なくとも１つを含む。
【００９８】
本発明の実施例において、選択可能に、第１情報は、端末デバイスがダウンリンク参照信号の受信パワーの第１プリセット期間内での減少値が第１プリセットパワー変化閾値以上であり、及び／又はダウンリンク参照信号の受信品質の第１プリセット期間内での減少値が第１プリセット受信品質変化閾値以上であり、及び／又はダウンリンク参照信号の経路消耗の第１プリセット期間内での増加値が第１プリセット経路消耗変化閾値以上であると確定した時生成されたものである。
【００９９】
本発明の実施例において、選択可能に、第１情報は端末デバイスが第１プリセット期間内でセルの中心位置からセルのエッジ位置へ移動することを指示することに用いられる。
【０１００】
本発明の実施例において、選択可能に、プリセット変化閾値は第２プリセットパワー変化閾値、第２プリセット受信品質変化閾値及び第２プリセット経路消耗変化閾値の中の少なくとも１つを含む。
【０１０１】
本発明の実施例において、選択可能に、第１情報は、端末デバイスが該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質閾値以上であり、及び／又は該ダウンリンク参照信号の経路消耗の該第２プリセット期間内での減少値が該第２プリセット経路消耗変化閾値以上であると確定した時生成されたものである。
【０１０２】
本発明の実施例において、選択可能に、該第１情報は該端末デバイスが該第２プリセット期間内でセルのエッジ位置から該セルの中心位置へ移動することを指示することに用いられる。
【０１０３】
本発明の実施例において、選択可能に、Ｓ２１０において、該ネットワークデバイスは端末デバイスが送信した第１情報を受信することは、該ネットワークデバイスは端末デバイスがアップリンク制御チャネルによって送信した該第１情報を受信することを含む。
【０１０４】
本発明の実施例において、選択可能に、Ｓ２１０において、該ネットワークデバイスは端末デバイスがアップリンク制御チャネルによって送信した第１情報を受信することは、該ネットワークデバイスは端末デバイスが予め設定されたアップリンク制御チャネルリソースの対応するアップリンク制御チャネルによって送信した該第１情報を受信することを含む。
【０１０５】
本発明の実施例において、選択可能に、図４に示すように、Ｓ２２０は具体的に以下のＳ２２１〜Ｓ２２３を含む。
【０１０６】
Ｓ２２１、ネットワークデバイスは第１情報によって、端末デバイスへ第２情報を送信し、第２情報は端末デバイスがネットワークデバイスへアップリンク参照信号を送信することを指示することに用いられる。
【０１０７】
Ｓ２２２、ネットワークデバイスは端末デバイスが送信したアップリンク参照信号を受信する。
【０１０８】
Ｓ２２３、ネットワークデバイスはアップリンク参照信号によって、端末デバイスがアップリンク伝送を行う時採用する必要がある波形を確定する。
【０１０９】
図５は本発明の更に他の実施例によるアップリンクスケジューリングに用いる方法の模式的なフロー図である。図５に示すように、方法３００は以下のステップＳ３１０〜Ｓ３２０を含む。
【０１１０】
Ｓ３１０、端末デバイスはネットワークデバイスが送信したダウンリンク参照信号を受信する。
【０１１１】
Ｓ３２０、端末デバイスはダウンリンク参照信号とプリセット変化閾値によって、ネットワークデバイスへアップリンク参照信号を送信する。
【０１１２】
このため、本発明の実施例によるアップリンクスケジューリングに用いる方法によれば、端末デバイスは受信されたダウンリンク参照信号とプリセット変化閾値によって、ネットワークデバイスへアップリンク参照信号を送信する。これによって、端末デバイスが持続的にネットワークデバイスへアップリンク参照信号を送信する必要がなく、端末デバイスのエネルギー消費を低減させ、且つこれによりネットワークデバイスは端末デバイスのアップリンク参照信号の変化をタイムリーにトラッキングすることができ、アップリンクスケジューリングの正確性を向上させることができる。
【０１１３】
本発明の実施例において、選択可能に、該プリセット変化閾値は第１プリセットパワー変化閾値、第１プリセット受信品質変化閾値及び第１プリセット経路消耗変化閾値の中の少なくとも１つを含む。
【０１１４】
具体的には、該端末デバイスは、該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、該ネットワークデバイスへ該アップリンク参照信号を送信する。
【０１１５】
本発明の実施例において、選択可能に、端末デバイスはネットワークデバイスへアップリンク参照信号を送信する前に、端末デバイスはネットワークデバイスへ第１情報を送信し、第１情報はネットワークデバイスが第１情報によってアップリンク参考情報を受信する時間を確定することに用いられる。
【０１１６】
又は、端末デバイスはネットワークデバイスへ第１情報を送信するのは、ネットワークデバイスに端末デバイスがアップリンク参照信号を送信しようとすることを通知すると理解することができる。これによって、ネットワークデバイスがアップリンク参照信号をブラインド検出することを必要がなくて、基地局の複雑さを低減させる。
【０１１７】
選択可能に、第１情報には端末デバイスのダウンリンク参照信号に対する具体的な測定結果を含み、具体的には、第１情報は方法１００においてプリセット変化閾値は第１プリセットパワー変化閾値、第１プリセット受信品質変化閾値及び第１プリセット経路消耗変化閾値の中の少なくとも１つを含む時の対応する第１情報に含まれた内容を含んでもよい。簡単にさせるために、ここで繰り返して説明しない。
【０１１８】
本発明の実施例において、選択可能に、該プリセット変化閾値は第２プリセットパワー変化閾値、第２プリセット受信品質変化閾値及び第２プリセット経路消耗変化閾値の中の少なくとも１つを含む。
【０１１９】
具体的には、該端末デバイスは、該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、該ネットワークデバイスへ該アップリンク参照信号を送信する。
【０１２０】
同様に、端末デバイスはネットワークデバイスへアップリンク参照信号を送信する前に、端末デバイスはネットワークデバイスへ第２情報を送信し、第２情報はネットワークデバイスが第２情報によってアップリンク参考情報を受信する時間を確定することに用いられる。
【０１２１】
又は、端末デバイスはネットワークデバイスへ第２情報を送信することは、ネットワークデバイスに端末デバイスがアップリンク参照信号を送信しようとすることを通知すると理解することができる。これによって、ネットワークデバイスがアップリンク参照信号をブラインド検出する必要がなくて、基地局の複雑さを低減させる。
【０１２２】
選択可能に、第２情報には端末デバイスのダウンリンク参照信号に対する具体的な測定結果を含み、具体的には、第２情報は方法１００においてプリセット変化閾値が第２プリセットパワー変化閾値、第２プリセット受信品質変化閾値及び第２プリセット経路消耗変化閾値の中の少なくとも１つを含む時の対応する第１情報に含まれた内容を含んでもよく、簡単にさせるために、ここで繰り返して説明しない。
【０１２３】
上記実施例において、選択可能に、端末デバイスは予め設定された参照信号リソースによってネットワークデバイスへアップリンク参照信号を送信する。
【０１２４】
具体的には、ネットワークデバイスは専用シグナリングによって端末デバイスにアップリンク参照信号を送信するためのリソースを設定でき、端末デバイスは、アップリンク参照信号を送信する必要があると確定した時、予め設定されたアップリンク参照信号を送信するためのリソースでネットワークデバイスへアップリンク参照信号を送信する。
【０１２５】
理解できるのは、方法３００における第１プリセットパワー変化閾値は方法１００と方法２００における第１プリセットパワー変化閾値以上であってもよく、方法３００における第１プリセット受信品質変化閾値は方法１００と方法２００における第１プリセット受信品質変化閾値以上であってもよく、方法３００における第１プリセット経路消耗変化閾値は方法１００と方法２００における第１プリセット経路消耗変化閾値以上であってもよい。
【０１２６】
理解できるのは、方法３００における第２プリセットパワー変化閾値は方法１００と方法２００における第２プリセットパワー変化閾値以上であってもよく、方法３００における第２プリセット受信品質変化閾値は方法１００と方法２００における第２プリセット受信品質変化閾値以上であってもよく、方法３００における第２プリセット経路消耗変化閾値は方法１００と方法２００における第２プリセット経路消耗変化閾値以上であってもよい。
【０１２７】
且つ、第１プリセット期間及び／又は第２プリセット期間は、ネットワークデバイスの事前に設定された周期的な期間であってもよい。ネットワークデバイスは第１プリセット期間及び／又は第２プリセット期間を設定する時、各期間の開始時刻と終了時刻を具体的に指示してもよく、各期間の開始時刻と時間長さを具体的に指示してもよく、第１個の期間の開始時刻、時間長さ及び隣接する２つの期間の開始時間間隔を具体的に指示しても良い。
【０１２８】
以上、図５を組み合わせて端末デバイス側から本発明の実施例によるアップリンクスケジューリングに用いる方法を詳しく説明しており、以下、図６を組み合わせてネットワークデバイス側から本発明の実施例によるアップリンクスケジューリングに用いる方法を詳しく説明する。理解できるのは、端末デバイス側で説明されたネットワークデバイスと端末デバイスとのインタラクションがネットワークデバイス側の説明と同じで、繰り返して説明しないように、関連する説明を適当に省略する。
【０１２９】
図６は本発明の更に他の実施例によるアップリンクスケジューリングに用いる方法の模式的なフロー図である。図６に示すように、方法４００は以下のステップＳ４１０〜Ｓ４３０を含む。
【０１３０】
Ｓ４１０、ネットワークデバイスは端末デバイスへダウンリンク参照信号を送信する。
【０１３１】
Ｓ４２０、ネットワークデバイスは端末デバイスが該ダウンリンク参照信号とプリセット変化閾値によって送信したアップリンク参照信号を受信する。
【０１３２】
Ｓ４３０、該ネットワークデバイスは該アップリンク参照信号によって、該端末デバイスがアップリンク伝送を行う時採用する必要がある波形を確定する。
【０１３３】
このため、本発明の実施例によるアップリンクスケジューリングに用いる方法によれば、ネットワークデバイスは端末デバイスがダウンリンク参照信号とプリセット変化閾値によって送信したアップリンク参照信号を受信し、且つアップリンク参照信号によって端末デバイスがアップリンク伝送する時採用する必要がある波形を確定する。これによって、端末デバイスが持続的にネットワークデバイスへアップリンク参照信号を送信する必要がなく、端末デバイスのエネルギー消費を低減させ、且つネットワークデバイスは端末デバイスのアップリンク参照信号の変化をタイムリーにトラッキングして、アップリンクスケジューリングの正確性を向上させることができる。
【０１３４】
本発明の実施例において、選択可能に、該プリセット変化閾値は第１プリセットパワー変化閾値、第１プリセット受信品質変化閾値及び第１プリセット経路消耗変化閾値の中の少なくとも１つを含む。
【０１３５】
本発明の実施例において、選択可能に、Ｓ４２０は具体的には、該ネットワークデバイスは、該端末デバイスが該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、送信した該アップリンク参照信号を受信する。
【０１３６】
本発明の実施例において、選択可能に、該ネットワークデバイスは端末デバイスが該ダウンリンク参照信号とプリセット変化閾値によって送信したアップリンク参照信号を受信する前に、該方法４００は、該ネットワークデバイスは該端末デバイスが送信した第１情報を受信し、該第１情報は該ネットワークデバイスが該第１情報によって該アップリンク参照信号を受信する時間を確定することに用いられることを更に含む。
【０１３７】
本発明の実施例において、選択可能に、該プリセット変化閾値は第２プリセットパワー変化閾値、第２プリセット受信品質変化閾値及び第２プリセット経路消耗変化閾値を含む。
【０１３８】
本発明の実施例において、選択可能に、Ｓ４２０は具体的には、該ネットワークデバイスは、該端末デバイスが該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、送信した該アップリンク参照信号を受信する。
【０１３９】
本発明の実施例において、選択可能に、該ネットワークデバイスは端末デバイスが該ダウンリンク参照信号とプリセット変化閾値によって送信したアップリンク参照信号を受信する前に、該方法は、該ネットワークデバイスは該端末デバイスが送信した第２情報を受信し、該第２情報はネットワークデバイスが該第２情報によって該アップリンク参照信号を受信する時間を確定することに用いられることを更に含む。
【０１４０】
本発明の実施例において、選択可能に、Ｓ４２０は具体的には、該ネットワークデバイスは該端末デバイスが該ダウンリンク参照信号とプリセット変化閾値によって、予め設定された参照信号リソースによって送信した該アップリンク参照信号を受信する。
【０１４１】
以上、図２〜図６を組み合わせて本発明の実施例によるアップリンクスケジューリングに用いる方法を詳しく説明しており、以下、図７を組み合わせて、本発明の実施例による端末デバイスを詳しく説明する。
【０１４２】
図７は本発明の実施例による端末デバイスの模式的なブロック図である。図７に示すように、端末デバイス１０は以下の処理モジュール１１と送受信モジュール１２を含む。
【０１４３】
処理モジュール１１は、ネットワークデバイスが送信したダウンリンク参照信号により、第１情報を生成することに用いられる。
【０１４４】
送受信モジュール１２は、該ネットワークデバイスへ該第１情報を送信することに用いられ、該ネットワークデバイスが該第１情報によって、該端末デバイスがアップリンク伝送を行う時採用する必要がある波形を確定するようにする。
【０１４５】
このため、本発明の実施例による端末デバイスは、ネットワークデバイスが送信したダウンリンク参照信号によって第１情報を生成し、且つネットワークデバイスへ第１情報を送信し、これによりネットワークデバイスは第１情報によって端末デバイスがアップリンク伝送を行う時採用する必要がある波形を確定する。これによって端末デバイスはネットワークデバイスへアップリンク参照信号を送信しなくてもよく、端末デバイスのエネルギー消費を減少することができる。
【０１４６】
本発明の実施例において、選択可能に、該処理モジュール１１は具体的には、該ダウンリンク参照信号とプリセット変化閾値によって、該第１情報を生成することに用いられる。
【０１４７】
本発明の実施例において、選択可能に、該プリセット変化閾値は第１プリセットパワー変化閾値、第１プリセット受信品質変化閾値及び第１プリセット経路消耗変化閾値の中の少なくとも１つを含む。
【０１４８】
本発明の実施例において、選択可能に、該処理モジュール１１は具体的には、該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、該第１情報を生成することに用いられる。
【０１４９】
本発明の実施例において、選択可能に、該第１情報は該端末デバイスが該第１プリセット期間内でセルの中心位置から該セルのエッジ位置へ移動するように指示することに用いられる。
【０１５０】
本発明の実施例において、選択可能に、該プリセット参照信号変化閾値は第２プリセットパワー変化閾値、第２プリセット受信品質変化閾値及び第２プリセット経路消耗変化閾値の中の少なくとも１つを含む。
【０１５１】
本発明の実施例において、選択可能に、該処理モジュール１１は具体的には、該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、該第１情報を生成することに用いられる。
【０１５２】
本発明の実施例において、選択可能に、該第１情報は該端末デバイスが該第２プリセット期間内でセルのエッジ位置から該セルの中心位置へ移動することを指示することに用いられる。
【０１５３】
本発明の実施例において、選択可能に、該送受信モジュール１２は具体的には、アップリンク制御チャネルによって該ネットワークデバイスへ該第１情報を送信することに用いられる。
【０１５４】
本発明の実施例において、選択可能に、該送受信モジュール１２は具体的には、予め設定されたアップリンク制御チャネルリソースの対応するアップリンク制御チャネルによって該ネットワークデバイスへ該第１情報を送信することに用いられる。
【０１５５】
本発明の実施例において、選択可能に、該送受信モジュール１２が該ネットワークデバイスへ該第１情報を送信した後、該送受信モジュール１２は更に、該ネットワークデバイスが送信した第２情報を受信し、該第２情報は該端末デバイスが該ネットワークデバイスへアップリンク参照信号を送信することを指示することに用いられること、及び該第２情報によって、該ネットワークデバイスへアップリンク参照信号を送信することに用いられ。
【０１５６】
本発明の実施例による端末デバイスは、本発明の実施例のアップリンクスケジューリングに用いる方法１００に対応するプロセスを参照でき、且つ、該端末デバイスにおける各ユニット／モジュール及び上記他の操作及び／又は機能はそれぞれ方法１００における対応するプロセスを実現し、簡単にさせるために、ここで繰り返して説明しない。
【０１５７】
図８は本発明の実施例によるネットワークデバイスの模式的なブロック図である。図８に示すように、ネットワークデバイス２０は以下の送受信モジュール２１と処理モジュール２２を含む。
【０１５８】
送受信モジュール２１は、端末デバイスが送信した第１情報を受信することに用いられ、該第１情報は該端末デバイスが該ネットワークデバイスが送信したダウンリンク参照信号によって生成されたものである。
【０１５９】
処理モジュール２２は、該第１情報によって、該端末デバイスがアップリンク伝送を行う時採用する必要がある波形を確定することに用いられる。
【０１６０】
このため、本発明の実施例によるネットワークデバイスによれば、ネットワークデバイスは端末デバイスがダウンリンク参照信号によって生成した第１情報を受信し、且つ第１情報によって端末デバイスがアップリンク伝送を行う時採用する必要がある波形を確定し、このため、端末デバイスはネットワークデバイスへアップリンク参照信号を送信する必要せず、端末デバイスのエネルギー消費を減少することができる。
【０１６１】
本発明の実施例において、選択可能に、該第１情報は該端末デバイスが該ダウンリンク参照信号とプリセット変化閾値によって生成されたものである。
【０１６２】
本発明の実施例において、選択可能に、該プリセット変化閾値は第１プリセットパワー変化閾値、第１プリセット受信品質変化閾値及び第１プリセット経路消耗変化閾値の中の少なくとも１つを含む。
【０１６３】
本発明の実施例において、選択可能に、該第１情報は、該端末デバイスが該ダウンリンク参照信号の受信パワーの該第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時生成されたものである。
【０１６４】
本発明の実施例において、選択可能に、該第１情報は該端末デバイスが該第１プリセット期間内でセルの中心位置から該セルのエッジ位置へ移動するように指示することに用いられる。
【０１６５】
本発明の実施例において、選択可能に、該プリセット変化閾値は第２プリセットパワー変化閾値、第２プリセット受信品質変化閾値及び第２プリセット経路消耗変化閾値の中の少なくとも１つを含む。
【０１６６】
本発明の実施例において、選択可能に、該第１情報は、該端末デバイスが該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時生成されたものである。
【０１６７】
本発明の実施例において、選択可能に、該第１情報は該端末デバイスが該第２プリセット期間内でセルのエッジ位置から該セルの中心位置へ移動することを指示することに用いられる。
【０１６８】
本発明の実施例において、選択可能に、該送受信モジュール２１は具体的には、端末デバイスがアップリンク制御チャネルによって送信した該第１情報を受信することに用いられる。
【０１６９】
本発明の実施例において、選択可能に、該送受信モジュール２１は具体的には、端末デバイスが予め設定されたアップリンク制御チャネルリソースの対応するアップリンク制御チャネルによって送信した該第１情報を受信することに用いられる。
【０１７０】
本発明の実施例において、選択可能に、該送受信モジュール２１は更に、該第１情報によって、該端末デバイスへ第２情報を送信し、該第２情報は該端末デバイスが該ネットワークデバイスへアップリンク参照信号を送信することを指示することに用いられること、及び該端末デバイスが送信した該アップリンク参照信号を受信ことに用いられる。
【０１７１】
該処理モジュール２２は、具体的には該アップリンク参照信号によって、該端末デバイスがアップリンク伝送を行う時採用する必要がある波形を確定することに用いられる。
【０１７２】
本発明の実施例によるネットワークデバイスは本発明の実施例のアップリンクスケジューリングに用いる方法２００に対応するプロセスを参照することができ、且つ、該ネットワークデバイスにおける各ユニット／モジュールと上記他の操作及び／又は機能はそれぞれ方法２００における対応するプロセスを実現するためのものであり、簡単にさせるために、ここで繰り返して説明しない。
【０１７３】
以下、図９を組み合わせて、本発明の他の実施例による端末デバイスを詳しく説明する。図９に示すように、端末デバイス３０は以下の受信モジュール３１と送信モジュール３２を含む。
【０１７４】
受信モジュール３１はネットワークデバイスが送信したダウンリンク参照信号を受信することに用いられる。
【０１７５】
送信モジュール３２は該ダウンリンク参照信号とプリセット変化閾値によって、該ネットワークデバイスへアップリンク参照信号を送信することに用いられる。
【０１７６】
このため、本発明の実施例による端末デバイスは受信されたダウンリンク参照信号とプリセット変化閾値によって、ネットワークデバイスへアップリンク参照信号を送信する。これによって、端末デバイスが持続的にネットワークデバイスへアップリンク参照信号を送信する必要がなく、端末デバイスのエネルギー消費を低減させ、且つこれによりネットワークデバイスは端末デバイスのアップリンク参照信号の変化をタイムリーにトラッキングすることができ、アップリンクスケジューリングの正確性を向上させることができる。
【０１７７】
本発明の実施例において、選択可能に、該プリセット変化閾値は第１プリセットパワー変化閾値、第１プリセット受信品質変化閾値及び第１プリセット経路消耗変化閾値の中の少なくとも１つを含む。
【０１７８】
本発明の実施例において、選択可能に、該送信モジュール３２は具体的には、該端末デバイスは、該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、該ネットワークデバイスへ該アップリンク参照信号を送信することに用いられる。  
【０１７９】
本発明の実施例において、選択可能に、該ネットワークデバイスへアップリンク参照信号を送信する前に、該送信モジュール３２は更に、該ネットワークデバイスへ第１情報を送信することに用いられ、該第１情報は該ネットワークデバイスが該第１情報によって該アップリンク参照信号を受信する時間を確定することに用いられる。
【０１８０】
本発明の実施例において、選択可能に、該プリセット変化閾値は第２プリセットパワー変化閾値、第２プリセット受信品質変化閾値及び第２プリセット経路消耗変化閾値の中の少なくとも１つを含む。
【０１８１】
本発明の実施例において、選択可能に、該送信モジュール３２は具体的には、該端末デバイスは、該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、該ネットワークデバイスへ該アップリンク参照信号を送信することに用いられる。
【０１８２】
本発明の実施例において、選択可能に、該ネットワークデバイスへアップリンク参照信号を送信する前に、該送信モジュール３２は更に、該ネットワークデバイスへ第２情報を送信することに用いられ、該第２情報は該ネットワークデバイスが該第２情報によって該アップリンク参照信号を受信する時間を確定することに用いられる。
【０１８３】
本発明の実施例において、選択可能に、該送信モジュール３２は具体的には、予め設定された参照信号リソースによって該ネットワークデバイスへ該アップリンク参照信号を送信することに用いられる。
【０１８４】
本発明の実施例による端末デバイスは、本発明の実施例のアップリンクスケジューリングに用いる方法３００に対応するプロセスを参照することができ、且つ、該端末デバイスにおける各ユニット／モジュールと上記他の操作及び／又は機能はそれぞれ方法３００における対応するプロセスを実現するためのものであり、簡単にさせるために、ここで繰り返して説明しない。
【０１８５】
図１０は本発明の他の実施例によるネットワークデバイスを示す。図１０に示すように、ネットワークデバイス４０は以下の送受信モジュール４１と処理モジュール４２を含む。
【０１８６】
送受信モジュール４１は端末デバイスへダウンリンク参照信号を送信することに用いられる。
【０１８７】
該送受信モジュール４１は、端末デバイスが該ダウンリンク参照信号とプリセット変化閾値によって送信したアップリンク参照信号を受信することに更に用いられる。
【０１８８】
処理モジュール４２は該アップリンク参照信号によって、該端末デバイスがアップリンク伝送を行う時採用する必要がある波形を確定することに用いられる。
【０１８９】
このため、本発明の実施例によるネットワークデバイスは、端末デバイスがダウンリンク参照信号とプリセット変化閾値によって送信したアップリンク参照信号を受信し、且つアップリンク参照信号によって端末デバイスがアップリンク伝送する時採用する必要がある波形を確定する。これによって、端末デバイスが持続的にネットワークデバイスへアップリンク参照信号を送信する必要がなく、端末デバイスのエネルギー消費を低減させ、且つネットワークデバイスは端末デバイスのアップリンク参照信号の変化をタイムリーにトラッキングして、アップリンクスケジューリングの正確性を向上させることができる。
【０１９０】
本発明の実施例において、選択可能に、該プリセット変化閾値は第１プリセットパワー変化閾値、第１プリセット受信品質変化閾値及び第１プリセット経路消耗変化閾値の中の少なくとも１つを含む。
【０１９１】
本発明の実施例において、選択可能に、該送受信モジュール４１は具体的には、該端末デバイスが、該ダウンリンク参照信号の受信パワーの第１プリセット期間内での減少値が該第１プリセットパワー変化閾値以上であり、及び／又は該ダウンリンク参照信号の受信品質の該第１プリセット期間内での減少値が該第１プリセット受信品質変化閾値以上であり、及び／又は該ダウンリンク参照信号の経路消耗の該第１プリセット期間内での増加値が該第１プリセット経路消耗変化閾値以上であると確定した時、送信した該アップリンク参照信号を受信することに用いられる。
【０１９２】
本発明の実施例において、選択可能に、端末デバイスが該ダウンリンク参照信号とプリセット変化閾値によって送信したアップリンク参照信号を受信する前に、該送受信モジュール４１は更に、該端末デバイスが送信した第１情報を受信することに用いられ、該第１情報は該ネットワークデバイスが該第１情報によって該アップリンク参照信号を受信する時間を確定することに用いられる。
【０１９３】
本発明の実施例において、選択可能に、該プリセット変化閾値は第２プリセットパワー変化閾値、第２プリセット受信品質変化閾値及び第２プリセット経路消耗変化閾値を含む。
【０１９４】
本発明の実施例において、選択可能に、該送受信モジュール４１は具体的には、該端末デバイスが、該ダウンリンク参照信号の受信パワーの第２プリセット期間内での増加値が該第２プリセットパワー変化閾値以上であり、及び／又は該ダウンリンク参照信号の受信品質の該第２プリセット期間内での増加値が該第２プリセット受信品質変化閾値以上であり、及び／又は該ダウンリンク参照信号の経路消耗の該第２プリセット期間内での減少値が該第２プリセット経路消耗変化閾値以上であると確定した時、送信した該アップリンク参照信号を受信することに用いられる。
【０１９５】
本発明の実施例において、選択可能に、端末デバイスが該ダウンリンク参照信号とプリセット変化閾値によって送信したアップリンク参照信号を受信する前に、該送受信モジュール４１は更に、該端末デバイスが送信した第２情報を受信することに用いられ、該第２情報は該ネットワークデバイスが該第２情報によって該アップリンク参照信号を受信する時間を確定することに用いられる。
【０１９６】
本発明の実施例において、選択可能に、該送受信モジュール４１は具体的には、該端末デバイスが該ダウンリンク参照信号とプリセット変化閾値によって、予め設定された参照信号リソースによって送信した該アップリンク参照信号を受信することに用いられる。
【０１９７】
本発明の実施例によるネットワークデバイスは、本発明の実施例のアップリンクスケジューリングに用いる方法４００に対応するプロセスを参照することができ、且つ、該ネットワークデバイスにおける各ユニット／モジュールと上記他の操作及び／又は機能はそれぞれ方法４００における対応するプロセスを実現するためのものであり、簡単にさせるために、ここで繰り返して説明しない。
【０１９８】
図１１は本発明の他の実施例による端末デバイスを示し、図１１に示すように、端末デバイス１００はプロセッサー１１０及びトランシーバ１２０を含み、プロセッサー１１０がトランシーバ１２０に接続され、選択可能に、該端末デバイス１００はメモリ１３０を更に含み、メモリ１３０がプロセッサー１１０に接続され、更に選択可能に、該端末デバイス１００はバスシステム１４０を含む。プロセッサー１１０、メモリ１３０及びトランシーバ１２０はバスシステム１４０によって接続されることができ、該メモリ１３０は命令を記憶することに用いられることができ、該プロセッサー１１０は該メモリ１３０に記憶される命令を実行するためのものであり、これによりトランシーバ１２０が情報を送信するか又は情報を受信するかを制御する。
【０１９９】
具体的には、該プロセッサー１１０はネットワークデバイスが送信したダウンリンク参照信号により、第１情報を生成することに用いられ、該トランシーバ１２０は該ネットワークデバイスへ該第１情報を送信することに用いられ、該ネットワークデバイスが該第１情報によって該端末デバイスがアップリンク伝送を行う時採用する必要がある波形を確定するようにする。
【０２００】
本発明の実施例による端末デバイス１００は本発明の実施例における端末デバイス１０に対応することができ、且つ本発明の実施例による方法１００を実行する端末デバイスに対応することができ、且つ端末デバイス１００における各ユニット及びモジュールと上記他の操作及び／又は機能はそれぞれ方法１００における対応するプロセスを実現するためのものであり、簡単にさせるために、ここで繰り返して説明しない。
【０２０１】
このため、本発明の実施例による端末デバイスは、ネットワークデバイスが送信したダウンリンク参照信号によって第１情報を生成し、且つネットワークデバイスへ第１情報を送信し、これによりネットワークデバイスは第１情報によって端末デバイスがアップリンク伝送を行う時採用する必要がある波形を確定する。これによって端末デバイスはネットワークデバイスへアップリンク参照信号を送信しなくてもよく、端末デバイスのエネルギー消費を減少することができる。
【０２０２】
又は、該トランシーバ１２０はネットワークデバイスが送信したダウンリンク参照信号を受信することに用いられ、該トランシーバ１２０は、更に該ダウンリンク参照信号とプリセット変化閾値によって、該ネットワークデバイスへアップリンク参照信号を送信することに用いられる。
【０２０３】
本発明の実施例による端末デバイスは本発明の実施例における端末デバイス３０に対応することができ、且つ本発明の実施例による方法３００を実行する端末デバイスに対応することができ、且つ端末デバイスにおける各ユニット及びモジュールと上記他の操作及び／又は機能はそれぞれ方法３００における対応するプロセスを実現するためのものであり、簡単にさせるために、ここで繰り返して説明しない。
【０２０４】
このため、本発明の実施例による端末デバイスは受信されたダウンリンク参照信号とプリセット変化閾値によって、ネットワークデバイスへアップリンク参照信号を送信する。これによって、端末デバイスが持続的にネットワークデバイスへアップリンク参照信号を送信する必要がなく、端末デバイスのエネルギー消費を低減させ、且つこれによりネットワークデバイスは端末デバイスのアップリンク参照信号の変化をタイムリーにトラッキングすることができ、アップリンクスケジューリングの正確性を向上させることができる。
【０２０５】
図１２は本発明の他の実施例によるネットワークデバイスの模式的なブロック図を示し、図１２に示すように、ネットワークデバイス２００はプロセッサー２１０及びトランシーバ２２０を含み、プロセッサー２１０がトランシーバ２２０に接続され、選択可能に、該ネットワークデバイス２００はメモリ２３０を更に含み、メモリ２３０がプロセッサー２１０に接続され、更に選択可能に、該ネットワークデバイス２００はバスシステム２４０を含む。プロセッサー２１０、メモリ２３０及びトランシーバ２２０はバスシステム２４０によって接続されることができ、該メモリ２３０は命令を記憶することに用いられることができ、該プロセッサー２１０は該メモリ２３０に記憶される命令を実行することに用いられ、これによりトランシーバ２２０が情報を送信するか又は情報を受信するように制御する。
【０２０６】
具体的には、該トランシーバ２２０は端末デバイスが送信した第１情報を受信することに用いられ、該第１情報は該端末デバイスが該ネットワークデバイスが送信したダウンリンク参照信号によって生成されたものである。該プロセッサー２１０は該第１情報によって、該端末デバイスがアップリンク伝送を行う時採用する必要がある波形を確定することに用いられる。
【０２０７】
本発明の実施例によるネットワークデバイスは本発明の実施例におけるネットワークデバイス２０に対応することができ、且つ本発明の実施例による方法２００を実行するネットワークデバイスに対応することができ、且つネットワークデバイスにおける各ユニット及びモジュールと上記他の操作及び／又は機能はそれぞれ方法２００における対応するプロセスを実現するためのものであり、簡単にさせるために、ここで繰り返して説明しない。
【０２０８】
このため、本発明の実施例によるネットワークデバイスは端末デバイスがダウンリンク参照信号によって生成した第１情報を受信し、且つ第１情報によって端末デバイスがアップリンク伝送を行う時採用する必要がある波形を確定し、このため、端末デバイスはネットワークデバイスへアップリンク参照信号を送信することを必要せず、端末デバイスのエネルギー消費を減少することができる。
【０２０９】
又は、該トランシーバ２２０は端末デバイスへダウンリンク参照信号を送信することに用いられ、該トランシーバ２２０は、更に端末デバイスが該ダウンリンク参照信号とプリセット変化閾値によって送信したアップリンク参照信号を受信することに用いられ、該プロセッサー２１０は該アップリンク参照信号によって、該端末デバイスがアップリンク伝送を行う時採用する必要がある波形を確定することに用いられる。
【０２１０】
本発明の実施例によるネットワークデバイスは本発明の実施例におけるネットワークデバイス４０に対応することができ、且つ本発明の実施例による方法４００を実行するネットワークデバイスに対応することができ、且つネットワークデバイスにおける各ユニット及びモジュールと上記他の操作及び／又は機能はそれぞれ方法４００における対応するプロセスを実現するためのものであり、簡単にさせるために、ここで繰り返して説明しない。
【０２１１】
このため、本発明の実施例によるネットワークデバイスは端末デバイスがダウンリンク参照信号とプリセット変化閾値によって送信したアップリンク参照信号を受信し、且つアップリンク参照信号によって端末デバイスがアップリンク伝送する時採用する必要がある波形を確定する。これによって、端末デバイスが持続的にネットワークデバイスへアップリンク参照信号を送信する必要がなく、端末デバイスのエネルギー消費を低減させ、且つネットワークデバイスは端末デバイスのアップリンク参照信号の変化をタイムリーにトラッキングして、アップリンクスケジューリングの正確性を向上させることができる。
【０２１２】
理解すべきなのは、本発明の上記実施例において、プロセッサーは、中央処理ユニット（Ｃｅｎｔｒａｌ  Ｐｒｏｃｅｓｓｉｎｇ  Ｕｎｉｔ、「ＣＰＵ」と略称）であってもよく、プロセッサーは更に、他の汎用プロセッサー、デジタル信号プロセッサー（ＤＳＰ）、専用集積回路（ＡＳＩＣ）、フィールドプログラマブルゲートアレイ（ＦＰＧＡ）又は他のプログラマブルロジックデバイス、離散ゲート又はトランジスタ論理デバイス、ディスクリートハードウェアコンポーネント等であってもよい。汎用プロセッサーはマイクロプロセッサーであってもよく、或いは該プロセッサーは任意の通常のプロセッサー等であってもよい。
【０２１３】
メモリは読み取り専用メモリとランダムアクセスメモリを含んでもよく、且つプロセッサーへ命令及びデータを提供する。メモリの一部は不揮発性ランダムアクセスメモリを更に含んでもよい。例えば、メモリは更にデバイスタイプの情報を記憶してもよい。
【０２１４】
実現過程において、上記の方法の各ステップはプロセッサーにおけるハードウェアの集積ロジック回路或いはソフトウェア形式の命令によって完成されることができる。本発明の実施例に開示された方法を組み合わせたステップはハードウェアプロセッサーにより実行して完成し、或いはプロセッサーにおけるハードウェアとソフトウェアモジュールとの組み合わせにより実行して完成するように直接に体現することができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリに位置し、プロセッサーはメモリにおける情報を読み取り、そのハードウェアを組み合わせて上記方法のステップを完成する。繰り返しないように、ここで再び詳しく説明しない。
【０２１５】
理解すべきなのは、明細書の全体にわたって言及された「１つの実施例」又は「一実施例」は、実施例に関連する特定の特徴、構成又は特性が本発明の少なくとも１つの実施例に含まれることを意味する。このため、明細書の全体の各箇所に出現した「１つの実施例において」又は「一実施例において」とは必ずしも同じ実施例を指さない。なお、これらの特定の特徴、構成又は特性は任意の適当な方式で、１つ又は複数の実施例に組み合わせられることができる。
【０２１６】
理解すべきなのは、本文における用語「及び／又は」は、単に関連オブジェクトを説明するための関連関係であり、三種の関係が存在してもよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示す。
【０２１７】
理解すべきなのは、本発明の様々な実施例において、上記各過程の番号は実行順序の前後を意味しなく、各過程の実行順序はその機能及び組み込み論理により確定されるべきであり、本発明の実施例の実施過程を制限しない。
【０２１８】
当業者は、本文に開示された実施例に記載の各例示の方法テップとユニットを組み合わせて、電子ハードウェア、コンピュータソフトウェア、又はコンピュータソフトウェア及び電子ハードウェアの組み合わせで実現することができることを認識することができる。ハードウェアとコンピュータソフトウェアの交換可能性を明らかに説明するために、上記の記載中既に機能に合わせて、各実施例のテップと構成を説明した。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０２１９】
本文に開示された実施例を組み合わせて説明した方法又はステップはハードウェア、プロセッサーで実行したソフトウェアプログラム、又は２つのものの組み合わせによって実施されることができる。ソフトウェアプログラムはランダムメモリ（Ｒａｎｄｏｍ  Ａｃｃｅｓｓ  Ｍｅｍｏｒｙ、ＲＡＭ）、メモリ、読み取り専用メモリ（Ｒｅａｄ−Ｏｎｌｙ  Ｍｅｍｏｒｙ、ＲＯＭ）、電気的にプログラム可能な読み取り専用メモリ（Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ、ＥＰＲＯＭ）、電気的に消去可能なプログラマブル読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、レジスタ、ハードディスク、リムーバブルディスク、コンパクトディスク読み取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、又は技術分野で知られている他の形式の記憶媒体に設定されることができる。
【０２２０】
本発明によるいくつかの実施例において、開示したシステム、装置及び方法は、その他の方式によって実現されることができることを理解すべきである。例えば以上のような装置実施例は単に例示的なものであり、例えば、前記ユニットの分割は、ロジック機能分割だけであり、実際な実現時に他の分割方式があり、例えば、複数のユニット又は組立部品を結合してもよいし、又は他のシステムに集積してもよいし、又はいくつかの特徴を無視でき、又は実行しなくてもよい。
【０２２１】
上記の分離部材として説明したユニットは物理的に分離してもよいし、又は物理的に分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０２２２】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０２２３】
図面を参照して好ましい実施例を組み合わせる方式で本発明を詳しく説明したが、本発明はこれに限定されない。本発明の精神及び実質から逸脱しない前提下で、当業者は本発明の実施例に対して各種の等価の修正又は切り替えを行うことができるが、これらの修正又は切り替えはすべて本発明のカバーされた範囲に含まれるべきである。
【図１】
2019536330.tif 000003
【図２】
2019536330.tif 000004
【図３】
2019536330.tif 000005
【図４】
2019536330.tif 000006
【図５】
2019536330.tif 000007
【図６】
2019536330.tif 000008
【図７】
2019536330.tif 000009
【図８】
2019536330.tif 000010
【図９】
2019536330.tif 000011
【図１０】
2019536330.tif 000012
【図１１】
2019536330.tif 000013
【図１２】
2019536330.tif 000014
【手続補正書】
【提出日】令和1年10月16日(2019.10.16)
【手続補正１】
【補正対象書類名】明細書
【補正対象項目名】００７２
【補正方法】変更
【補正の内容】
【００７２】
これによって、端末デバイスはネットワークデバイスへアップリンク参照信号を送信することを必要としなくてもよい。ネットワークデバイスは端末デバイスが送信した第１情報のみによって端末デバイスがアップリンク伝送を行う時採用する必要がある波形を確定することができ、端末デバイスのエネルギー消費を減少することができる。
【手続補正２】
【補正対象書類名】特許請求の範囲
【補正対象項目名】全文
【補正方法】変更
【補正の内容】
【特許請求の範囲】
【請求項１】
アップリンクスケジューリングに用いる方法であって、
端末デバイスはネットワークデバイスが送信したダウンリンク参照信号により、第１情報を生成すること、及び
前記端末デバイスは前記ネットワークデバイスへ前記第１情報を送信し、これによって前記ネットワークデバイスは前記第１情報によって前記端末デバイスがアップリンク伝送を行う時採用する必要がある波形を確定することを含むことを特徴とするアップリンクスケジューリングに用いる方法。
【請求項２】
前記端末デバイスはネットワークデバイスが送信したダウンリンク参照信号により、第１情報を生成することは、
前記端末デバイスが前記ダウンリンク参照信号とプリセット変化閾値によって、前記第１情報を生成することを含むことを特徴とする請求項１に記載の方法。
【請求項３】
前記プリセット変化閾値は第１プリセットパワー変化閾値、第１プリセット受信品質変化閾値及び第１プリセット経路消耗変化閾値の中の少なくとも１つを含むことを特徴とする請求項２に記載の方法。
【請求項４】
前記端末デバイスが前記ダウンリンク参照信号とプリセット変化閾値によって、前記第１情報を生成することは、
前記端末デバイスは、前記ダウンリンク参照信号の受信パワーの第１プリセット期間内での減少値が前記第１プリセットパワー変化閾値以上であること、前記ダウンリンク参照信号の受信品質の前記第１プリセット期間内での減少値が前記第１プリセット受信品質変化閾値以上であること、及び前記ダウンリンク参照信号の経路消耗の前記第１プリセット期間内での増加値が前記第１プリセット経路消耗変化閾値以上であることのうちの少なくとも一つを確定した時、前記第１情報を生成することを含むことを特徴とする請求項３に記載の方法。
【請求項５】
前記第１情報は前記端末デバイスが前記第１プリセット期間内でセルの中心位置から前記セルのエッジ位置へ移動するを指示することに用いられることを特徴とする請求項４に記載の方法。
【請求項６】
前記プリセット変化閾値は第２プリセットパワー変化閾値、第２プリセット受信品質変化閾値及び第２プリセット経路消耗変化閾値の中の少なくとも１つを含むことを特徴とする請求項２に記載の方法。
【請求項７】
前記端末デバイスが前記ダウンリンク参照信号とプリセット変化閾値によって、前記第１情報を生成することは、
前記端末デバイスは、前記ダウンリンク参照信号の受信パワーの第２プリセット期間内での増加値が前記第２プリセットパワー変化閾値以上であること、前記ダウンリンク参照信号の受信品質の前記第２プリセット期間内での増加値が前記第２プリセット受信品質変化閾値以上であること、及び前記ダウンリンク参照信号の経路消耗の前記第２プリセット期間内での減少値が前記第２プリセット経路消耗変化閾値以上であることのうちの少なくとも一つを確定した時、前記第１情報を生成することを含むことを特徴とする請求項６に記載の方法。
【請求項８】
前記第１情報は前記端末デバイスが前記第２プリセット期間内でセルのエッジ位置から前記セルの中心位置へ移動することを指示することに用いられることを特徴とする請求項７に記載の方法。
【請求項９】
前記端末デバイスが前記ネットワークデバイスへ前記第１情報を送信することは、
前記端末デバイスはアップリンク制御チャネルによって前記ネットワークデバイスへ前記第１情報を送信することを含むことを特徴とする請求項１〜８の中のいずれか一項に記載の方法。
【請求項１０】
前記端末デバイスがアップリンク制御チャネルによって前記ネットワークデバイスへ前記第１情報を送信することは、
前記端末デバイスは予め設定されたアップリンク制御チャネルリソースの対応するアップリンク制御チャネルによって、前記ネットワークデバイスへ前記第１情報を送信することを含むことを特徴とする請求項９に記載の方法。
【請求項１１】
前記端末デバイスが前記ネットワークデバイスへ前記第１情報を送信した後、前記方法は、
前記端末デバイスは前記ネットワークデバイスが送信した第２情報を受信し、前記第２情報は前記端末デバイスが前記ネットワークデバイスへアップリンク参照信号を送信するを指示することに用いられること、及び
前記端末デバイスは前記第２情報によって、前記ネットワークデバイスへアップリンク参照信号を送信することを更に含むことを特徴とする請求項１〜１０の中のいずれか一項に記載の方法。
【請求項１２】
アップリンクスケジューリングに用いる方法であって、
端末デバイスはネットワークデバイスが送信したダウンリンク参照信号を受信すること、及び
前記端末デバイスが前記ダウンリンク参照信号とプリセット変化閾値によって、前記ネットワークデバイスへアップリンク参照信号を送信することを含むことを特徴とするアップリンクスケジューリングに用いる方法。
【請求項１３】
前記プリセット変化閾値は第１プリセットパワー変化閾値、第１プリセット受信品質変化閾値及び第１プリセット経路消耗変化閾値の中の少なくとも１つを含み、
前記端末デバイスはダウンリンク参照信号とプリセット変化閾値によって、ネットワークデバイスへアップリンク参照信号を送信することは、
前記端末デバイスは、前記ダウンリンク参照信号の受信パワーの第１プリセット期間内での減少値が前記第１プリセットパワー変化閾値以上であること、前記ダウンリンク参照信号の受信品質の前記第１プリセット期間内での減少値が前記第１プリセット受信品質変化閾値以上であること、及び前記ダウンリンク参照信号の経路消耗の前記第１プリセット期間内での増加値が前記第１プリセット経路消耗変化閾値以上であることのうちの少なくとも一つを確定した時、前記ネットワークデバイスへ前記アップリンク参照信号を送信することを含むことを特徴とする請求項１２に記載の方法。
【請求項１４】
端末デバイスであって、
ネットワークデバイスが送信したダウンリンク参照信号により、第１情報を生成するための処理モジュールと、
前記ネットワークデバイスへ前記第１情報を送信し、これによって前記ネットワークデバイスは前記第１情報によって前記端末デバイスがアップリンク伝送を行う時採用する必要がある波形を確定するための送受信モジュールと、を備えることを特徴とする端末デバイス。
【請求項１５】
ネットワークデバイスであって、
端末デバイスが送信した第１情報を受信することに用いられ、前記第１情報は前記端末デバイスが前記ネットワークデバイスが送信したダウンリンク参照信号によって生成されたものである送受信モジュールと、
前記第１情報によって、前記端末デバイスがアップリンク伝送を行う時採用する必要がある波形を確定するための処理モジュールと、を備えることを特徴とするネットワークデバイス。
【手続補正３】
【補正対象書類名】図面
【補正対象項目名】図６
【補正方法】変更
【補正の内容】
【図６】
2019536330.tif 000015
【国際調査報告】
2019536330.tif 000016
2019536330.tif 000017
2019536330.tif 000018
2019536330.tif 000019